(57)【要約】【課題】  被介護者の暮らしの全体像や、暮らしぶりの変化を定量的かつ容易に把握することが可能な被介護者情報分析支援装置、及びコンピュータを同装置として機能させることができるコンピュータプログラムを提供すること。【解決手段】  被介護者の、少なくとも睡眠、食事及び排泄に関する生活リズムを含む生活リズムの実績時刻と、前記生活リズムに対応する数値情報を記録する記憶部と、前記記憶部に記憶された、前記生活リズムの実績時刻と前記生活リズムに対応する数値情報に基づいて、前記被介護者に関する日毎の統計データを所定期間分生成し、前記記憶部に記憶された生活リズムの前記生活リズムの実績時刻と、前記生活リズムに対応する数値情報と、前記統計データとに基づいて、所望の出力装置に出力される統計処理結果画像を生成する制御部と、を備える。【選択図】  図４３
2014211774.tif 000002
【特許請求の範囲】
【請求項１】
被介護者の、少なくとも睡眠、食事及び排泄に関する生活リズムを含む生活リズムの実績時刻と、前記生活リズムに対応する数値情報を記録する記憶部と、
前記記憶部に記憶された、前記生活リズムの実績時刻と前記生活リズムに対応する数値情報に基づいて、前記被介護者に関する日毎の統計データを所定期間分生成し、前記記憶部に記憶された生活リズムの前記生活リズムの実績時刻と、前記生活リズムに対応する数値情報と、前記統計データとに基づいて、所望の出力装置に出力される統計処理結果画像を生成する制御部と、を備え、
前記統計処理結果画像は、
仮想的な第１の軸と、前記第１の軸に直行する第２の軸を有し、
前記第１の軸上には、１日の生活リズムを時系列的に表示する時系列表示領域と、前記１日分の前記生活リズムに対応する数値情報に基づく統計処理結果を表示する統計処理結果表示領域とが一連に配置された、日毎の表示領域が配置され、
前記第２の軸方向に、前記日毎の表示領域が連続して隣り合い、所定日数分の統計処理結果表示領域が構成され、
前記時系列表示領域は、前記第１の軸方向に時系列的に配置された、前記記憶部に記憶された睡眠、食事及び排泄に関する生活リズムの実績時刻を表す記号と、前記記憶部に記憶された睡眠に関する生活リズムに基づいて睡眠と判定される領域に表示される帯グラフとを有し、
前記統計処理結果表示領域は、睡眠関連情報表示領域と、排泄関連情報表示領域と、食事関連情報表示領域とを有し、
前記統計データは被介護者の総睡眠時間を含み、前記睡眠関連情報表示領域は、前記総睡眠時間を表示し、
前記排泄関連情報表示領域は、前記被介護者の排泄の量と回数とを表す排泄グラフを表示し、
前記食事関連情報表示領域は、前記被介護者の食事の量と回数とを表す食事グラフを表示する、
被介護者情報分析支援装置。
【請求項２】
前記排泄グラフは、便と尿とに分けて表示され、各グラフは、前記第１の軸方向の長さが便又は尿の量を表し、前記第１の軸方向に積上げられる積上げ回数が便又は尿の回数を表す積上げグラフである、請求項１に記載の被介護者情報分析支援装置。
【請求項３】
前記統計データは、１日分の便及び尿の総量を含み、前記排泄関連情報表示領域は、前記１日分の便及び尿の総量を表す数値を、対応する各前記積上げグラフの近傍に有する、請求項２に記載の被介護者情報分析支援装置。
【請求項４】
前記食事グラフは、主食と副食と汁物とに分けて表示され、各グラフは、前記第１の軸方向の長さが主食、副食又は汁物の摂取の量を表し、前記第１の軸方向に積上げられる積上げ回数が主食、副食又は汁物の摂取回数を表す積上げグラフである、請求項１に記載の被介護者情報分析支援装置。
【請求項５】
前記統計データは、１日の主食、副食及び汁物の平均摂取量を含み、前記食事関連情報表示領域は、前記１日の主食、副食及び汁物の平均摂取量を表す数値を、対応する各前記積上げグラフの近傍に有する、請求項４に記載の被介護者情報分析支援装置。
【請求項６】
前記統計処理結果画面は、スクロールバーをさらに有し、前記スクロールバーは前記第１の方向にスクロール可能なように構成され、前記時系列表示領域と前記統計処理結果表示領域とが、前記スクロールバーの操作方向に沿って一連に看取可能なように構成される、請求項１乃至５のいずれか１つに記載の被介護者情報分析支援装置。
【請求項７】
前記生活リズムに対応する数値情報がさらに、前記被介護者の体温、最高血圧又は最低血圧に関する数値を含み、
前記統計処理結果表示領域は、前記被介護者の体温、最高血圧又は最低血圧を数値表示するバイタル情報表示領域をさらに有する、請求項１乃至６のいずれか１つに記載の被介護者情報分析支援装置。
【請求項８】
前記実績時刻に関する生活リズムは、予め想定されていた生活リズムと、予め想定されていなかった生活リズムとに区別して記憶され、
前記時系列表示領域に配置された日毎の記号は、隣り合う日の記号と、互いに同一の生活リズムに属し、かつ、予め想定されていた生活リズムに属するものである場合に、互いに線分で結ばれて表示される、請求項１に記載の被介護者情報分析支援装置。
【請求項９】
前記制御部にて生成対象となる前記所定期間が所定の期間を超える場合、前記統計表示領域の表示を行わないよう制御する表示制御部をさらに備える、請求項１に記載の被介護者情報分析支援装置。
【請求項１０】
コンピュータを、
被介護者の、少なくとも睡眠、食事及び排泄に関する生活リズムを含む生活リズムの実績時刻と、前記生活リズムに対応する数値情報を記録する記憶部と、
前記記憶部に記憶された、前記生活リズムの実績時刻と前記生活リズムに対応する数値情報に基づいて、前記被介護者に関する日毎の統計データを所定期間分生成し、前記記憶部に記憶された生活リズムの前記生活リズムの実績時刻と、前記生活リズムに対応する数値情報と、前記統計データとに基づいて、所望の出力装置に出力される統計処理結果画像を生成する制御部と、を備え、
前記統計処理結果画像は、
仮想的な第１の軸と、前記第１の軸に直行する第２の軸を有し、
前記第１の軸上には、１日の生活リズムを時系列的に表示する時系列表示領域と、前記１日分の前記生活リズムに対応する数値情報に基づく統計処理結果を表示する統計処理結果表示領域とが一連に配置された、日毎の表示領域が配置され、
前記第２の軸方向に、前記日毎の表示領域が連続して隣り合い、所定日数分の統計処理結果表示領域が構成され、
前記時系列表示領域は、前記第１の軸方向に時系列的に配置された、前記記憶部に記憶された睡眠、食事及び排泄に関する生活リズムの実績時刻を表す記号と、前記記憶部に記憶された睡眠に関する生活リズムに基づいて睡眠と判定される領域に表示される帯グラフとを有し、
前記統計処理結果表示領域は、睡眠関連情報表示領域と、排泄関連情報表示領域と、食事関連情報表示領域とを有し、
前記統計データは被介護者の総睡眠時間を含み、前記睡眠関連情報表示領域は、前記総睡眠時間を表示し、
前記排泄関連情報表示領域は、前記被介護者の排泄の量と回数とを表す排泄グラフを表示し、
前記食事関連情報表示領域は、前記被介護者の食事の量と回数とを表す食事グラフを表示する、
被介護者情報分析支援装置として機能させるためのコンピュータプログラム。
【発明の詳細な説明】
【技術分野】
【０００１】
この発明は、例えば、介護の現場等において用いられる、被介護者情報の統計処理を行う、被介護者情報分析支援装置及びプログラムに関する。
【背景技術】
【０００２】
介護の現場において、被介護者に対する適確な支援を行うためには、被介護者の暮らしぶりを的確に把握することが重要である。具体的には、被介護者の暮らしの全体像や、暮らしぶりの変化を的確に把握することが重要となる。
【０００３】
従来も、介護支援の目的で、被介護者に関する情報を記載するノート等は存在していた（特許文献１参照）。しかしながら、当該ノート等では、被介護者の暮らしの全体像や、暮らしぶりの変化を客観的かつ容易に把握することは困難であった。
【先行技術文献】
【特許文献】
【０００４】
【特許文献１】特開２００４−１２２４４６
【発明の概要】
【発明が解決しようとする課題】
【０００５】
この発明は、上述の技術的背景に鑑みてなされたものであり、その目的とするところは、被介護者の暮らしの全体像や、暮らしぶりの変化を定量的かつ容易に把握することが可能な被介護者情報分析支援装置、及びコンピュータを同装置として機能させることができるコンピュータプログラムを提供することにある。
【課題を解決するための手段】
【０００６】
第１の発明は、被介護者の、少なくとも睡眠、食事及び排泄に関する生活リズムを含む生活リズムの実績時刻と、前記生活リズムに対応する数値情報を記録する記憶部と、前記記憶部に記憶された、前記生活リズムの実績時刻と前記生活リズムに対応する数値情報に基づいて、前記被介護者に関する日毎の統計データを所定期間分生成し、前記記憶部に記憶された生活リズムの前記生活リズムの実績時刻と、前記生活リズムに対応する数値情報と、前記統計データとに基づいて、所望の出力装置に出力される統計処理結果画像を生成する制御部と、を備えており、また、前記統計処理結果画像は、仮想的な第１の軸と、前記第１の軸に直行する第２の軸を有し、前記第１の軸上には、１日の生活リズムを時系列的に表示する時系列表示領域と、前記１日分の前記生活リズムに対応する数値情報に基づく統計処理結果を表示する統計処理結果表示領域とが一連に配置された、日毎の表示領域が配置され、前記第２の軸方向に、前記日毎の表示領域が連続して隣り合い、所定日数分の統計処理結果表示領域が構成され、前記時系列表示領域は、前記第１の軸方向に時系列的に配置された、前記記憶部に記憶された睡眠、食事及び排泄に関する生活リズムの実績時刻を表す記号と、前記記憶部に記憶された睡眠に関する生活リズムに基づいて睡眠と判定される領域に表示される帯グラフとを有し、前記統計処理結果表示領域は、睡眠関連情報表示領域と、排泄関連情報表示領域と、食事関連情報表示領域とを有し、前記統計データは被介護者の総睡眠時間を含み、前記睡眠関連情報表示領域は、前記総睡眠時間を表示し、前記排泄関連情報表示領域は、前記被介護者の排泄の量と回数とを表す排泄グラフを表示し、前記食事関連情報表示領域は、前記被介護者の食事の量と回数とを表す食事グラフを表示すること、を具備することを特徴とする。
【０００７】
このような発明によれば、所望の出力装置（表示ディスプレイやプリンタ等）に出力される画像において、睡眠時間が帯グラフで表示され、食事や排泄に関する各種生活行為は時系列上に記号にて表示されるので、被介護者の本能的・根源的欲求である「食べて（食事）・出して（排泄）・寝る（睡眠）」ということに関わる情報を、一目で把握することができ、これにより、被介護者の暮らしの全体像を容易に把握することができる。また、各時系列表示領域は、日付毎に互いに並列的に表示されるので、起床や就寝時間の推移や、食事や排泄の時刻の変化など、被介護者の暮らしぶりの変化を瞬時に把握することができる。
【０００８】
また、第２の発明は、第１の発明において、前記排泄グラフは、便と尿とに分けて表示され、各グラフは、前記第１の軸方向の長さが便又は尿の量を表し、前記第１の軸方向に積上げられる積上げ回数が便又は尿の回数を表す積上げグラフである、ことを特徴とする。
【０００９】
このような発明によれば、統計対象となる被介護者の排泄に関する情報が、積上げられるブロックの高さと回数とで表現されるので、操作者は、各グラフの高さとその刻み幅から、一目で、被介護者の排泄状況を分析することができる。
【００１０】
また、第３の発明は、第２の発明において、前記統計データは、１日分の便及び尿の総量を含み、前記排泄関連情報表示領域は、前記１日分の便及び尿の総量を表す数値を、対応する各前記積上げグラフの近傍に有する、ことを特徴とする。
【００１１】
このような発明によれば、統計対象となる被介護者の排泄に関する情報が、積上げられるブロックの高さと回数とで表現され、操作者が、各グラフの高さとその刻み幅から、一目で、被介護者の排泄状況を分析することができるのみならず、グラフ近傍に総排泄量が表示されるので、操作者は、グラフから目を逸らすことなく、客観的な排泄量についても合わせて、把握することができる。
【００１２】
また、第４の発明は、第１の発明において、前記食事グラフは、主食と副食と汁物とに分けて表示され、各グラフは、前記第１の軸方向の長さが主食、副食又は汁物の摂取の量を表し、前記第１の軸方向に積上げられる積上げ回数が主食、副食又は汁物の摂取回数を表す積上げグラフである、ことを特徴とする。
【００１３】
このような発明によれば、統計対象となる被介護者の食事に関する情報が、積上げられるブロックの高さと回数とで表現されるので、操作者は、グラフの高さとその刻みから、一目で、被介護者が、どの回の食事でどの程度摂取したかについて、分析することができる。
【００１４】
また、第５の発明は、第４の発明において、前記統計データは、１日の主食、副食及び汁物の平均摂取量を含み、前記食事関連情報表示領域は、前記１日の主食、副食及び汁物の平均摂取量を表す数値を、対応する各前記積上げグラフの近傍に有する、ことを特徴とする。
【００１５】
このような発明によれば、グラフ近傍に主食等のそれぞれの平均摂取量が表示されるので、操作者は、グラフから目を逸らすことなく、総量だけではなく、統計対象たる被介護者が一日平均で、どの程度食事を摂取したかを確認することができる。
【００１６】
また、第６の発明は、第１乃至５のいずれか１つの発明において、前記統計処理結果画面は、スクロールバーをさらに有し、前記スクロールバーは前記第１の方向にスクロール可能なように構成され、前記時系列表示領域と前記統計処理結果表示領域とが、前記スクロールバーの操作方向に沿って一連に看取可能なように構成される、ことを特徴とする。
【００１７】
このような発明によれば、スクロールバーの操作に応じて、統計対象者の一日（２４時間）の生活リズムの記録を追うことができるとともに、当該スクロールの延長上にて、当該日付の生活リズムに伴うデータを把握することができるため、直観的に統計対象者の一日の様子を把握することができる。
【００１８】
また、第７の発明は、第１乃至６のいずれか１つの発明において、前記生活リズムに対応する数値情報がさらに、前記被介護者の体温、最高血圧又は最低血圧に関する数値を含み、前記統計処理結果表示領域は、前記被介護者の体温、最高血圧又は最低血圧を数値表示するバイタル情報表示領域をさらに有する、ことを特徴とする。
【００１９】
このような発明によれば、臥床時間表示領域、排泄情報表示領域及び食事情報表示領域の表示と併せて、統計対象者である被介護者の体調を日毎に総合的に分析することができる。
【００２０】
また、第８の発明は、第１の発明において、前記実績時刻に関する生活リズムは、予め想定されていた生活リズムと、予め想定されていなかった生活リズムとに区別して記憶され、前記時系列表示領域に配置された日毎の記号は、隣り合う日の記号と、互いに同一の生活リズムに属し、かつ、予め想定されていた生活リズムに属するものである場合に、互いに線分で結ばれて表示される、ことを特徴とする。
【００２１】
このような発明によれば、統計対象者である被介護者に合わせて作成された２４Ｈシート上の予定が、予定された生活リズム毎に、実績としてどの程度連続して守られているか、又、予定された生活リズムに関する実績時刻がどのように推移しているかを一目で分析することができる。
【００２２】
また、第９の発明は、第１の発明において、前記制御部にて生成対象となる前記所定期間が所定の期間を超える場合、前記統計表示領域の表示を行わないよう制御する表示制御部をさらに備える、ことを特徴とする。
【００２３】
このような発明によれば、表示される画面が無用に煩雑となることを防止することができる。
【００２４】
第１０の発明は、コンピュータを、被介護者の、少なくとも睡眠、食事及び排泄に関する生活リズムを含む生活リズムの実績時刻と、前記生活リズムに対応する数値情報を記録する記憶部と、前記記憶部に記憶された、前記生活リズムの実績時刻と前記生活リズムに対応する数値情報に基づいて、前記被介護者に関する日毎の統計データを所定期間分生成し、前記記憶部に記憶された生活リズムの前記生活リズムの実績時刻と、前記生活リズムに対応する数値情報と、前記統計データとに基づいて、所望の出力装置に出力される統計処理結果画像を生成する制御部と、を備え、前記統計処理結果画像は、仮想的な第１の軸と、前記第１の軸に直行する第２の軸を有し、前記第１の軸上には、１日の生活リズムを時系列的に表示する時系列表示領域と、前記１日分の前記生活リズムに対応する数値情報に基づく統計処理結果を表示する統計処理結果表示領域とが一連に配置された、日毎の表示領域が配置され、前記第２の軸方向に、前記日毎の表示領域が連続して隣り合い、所定日数分の統計処理結果表示領域が構成され、前記時系列表示領域は、前記第１の軸方向に時系列的に配置された、前記記憶部に記憶された睡眠、食事及び排泄に関する生活リズムの実績時刻を表す記号と、前記記憶部に記憶された睡眠に関する生活リズムに基づいて睡眠と判定される領域に表示される帯グラフとを有し、前記統計処理結果表示領域は、睡眠関連情報表示領域と、排泄関連情報表示領域と、食事関連情報表示領域とを有し、前記統計データは被介護者の総睡眠時間を含み、前記睡眠関連情報表示領域は、前記総睡眠時間を表示し、前記排泄関連情報表示領域は、前記被介護者の排泄の量と回数とを表す排泄グラフを表示し、前記食事関連情報表示領域は、前記被介護者の食事の量と回数とを表す食事グラフを表示する、被介護者情報分析支援装置として機能させるためのコンピュータプログラムであることを特徴とする。
【００２５】
このような発明によれば、所望の出力装置（表示ディスプレイやプリンタ等）に出力される画像において、睡眠時間が帯グラフで表示され、食事や排泄に関する各種生活行為は時系列上に記号にて表示されるので、被介護者の本能的・根源的欲求である「食べて（食事）・出して（排泄）・寝る（睡眠）」ということに関わる情報を、一目で把握することができ、これにより、被介護者の暮らしの全体像を容易に把握することができるプログラムを提供することができる。また、各時系列表示領域は、日付毎に互いに並列的に表示されるので、起床や就寝時間の推移や、食事や排泄の時刻の変化など、被介護者の暮らしぶりの変化を瞬時に把握することができるプログラムを提供することができる。
【発明の効果】
【００２６】
本発明によれば、被介護者の暮らしの全体像や、暮らしぶりの変化を定量的かつ容易に把握することが可能な被介護者情報統計処理装置、及びコンピュータを同装置として機能させることができるコンピュータプログラムを提供することができる。
【図面の簡単な説明】
【００２７】
【図１】パソコンの内部構成を示すブロック図である。
【図２】記憶部のメモリマップの詳細を示す図である。
【図３】処理全体を示すゼネラルフローチャートである。
【図４】聞き取り処理の詳細フローチャートである。
【図５】分類項目決定処理の詳細フローチャートである。
【図６】聞き取り項目別登録処理の詳細フローチャートである。
【図７】２４Hシート作成表示処理の詳細フローチャートである。
【図８】転記情報振り分け処理の詳細フローチャートである。
【図９】連携先登録処理の詳細フローチャートである。
【図１０】ケース記録処理の詳細フローチャートである。
【図１１】「日々の暮らし記録」領域・書込み処理の詳細フローチャートである。
【図１２】ケース記録シート画面編集処理の詳細フローチャートである。
【図１３】ケース記録シート（編集処理前）である。
【図１４】ケース記録シート（編集処理後）である。
【図１５】統計処理の詳細フローチャートである。
【図１６】統計対象情報入力処理のフローチャートである。
【図１７】起動直後の初期画面の説明図である。
【図１８】１８項目の一つを選択した場合における聞き取りシートの説明図である。
【図１９】「全て」を選択した場合における聞き取りシートの説明図である。
【図２０】「日課順序選択」表示ウィンドウの説明図（その１）である。
【図２１】「日課順序選択」表示ウィンドウの説明図（その２）である。
【図２２】２４時間シートの表示例を示す説明図（その１）である。
【図２３】２４時間シートの表示例を示す説明図（その２）である。
【図２４】留意点表示ウィンドウの表示例を示す説明図である。
【図２５】２４時間シート一覧表の表示例を示す説明図である。
【図２６】意向・好み等の詳細ウィンドウの表示例を示す説明図である。
【図２７】現時刻表示カーソルの表示例を示す説明図である。
【図２８】留意点の表示例を示す説明図である。
【図２９】聞き取りシート（アップグレード版対応）の説明図である。
【図３０】マスタ設定用ウィンドウの説明図（その１）である。
【図３１】マスタ設定用ウィンドウの説明図（その２）である。
【図３２】マスタ設定用ウィンドウの説明図（その３）である。
【図３３】聞き取りシート（アップグレード版）の作用説明図である。
【図３４】ケース記録シートの説明図である。
【図３５】マスタ設定画面の説明図である。
【図３６】日報シートの説明図である。
【図３７】生活記録ウィンドウの起動についての説明図である。
【図３８】「生活記録」の初期画面の説明図である。
【図３９】集計期間設定の説明図である。
【図４０】統計マスタ画面の起動についての説明図である。
【図４１】統計マスタの設定に関する説明図（その１）である。
【図４２】統計マスタの設定に関する説明図（その２）である。
【図４３】統計グラフの表示例（その１）である。
【図４４】統計グラフの表示例（その２）である。
【図４５】記号間の結び方に関する説明図である。
【図４６】記号間の結び方について説明するフローチャートである。
【図４７】食事量と排泄量の表示に関する説明図（その１）である。
【図４８】食事量と排泄量の表示に関する説明図（その２）である。
【図４９】統計グラフの表示例（期間が月間の場合）である。
【図５０】統計グラフの表示例（期間が６０日間の場合）である。
【図５１】統計グラフの表示例（期間が９０日間の場合）である。
【図５２】ケース記録モードとの連携を示す説明図である。
【発明を実施するための形態】
【００２８】
以下に、この発明に係る被介護者情報分析支援装置の好適な実施の一形態を、添付図面を参照しながら詳細に説明する。
【００２９】
本発明の被介護者情報分析支援装置は、被介護者の、少なくとも睡眠、食事及び排泄に関する生活リズムを含む生活リズムの実績時刻と、前記生活リズムに対応する数値情報を記録する記憶部と、前記記憶部に記憶された、前記生活リズムの実績時刻と前記生活リズムに対応する数値情報に基づいて、前記被介護者に関する日毎の統計データを所定期間分生成し、前記記憶部に記憶された生活リズムの前記生活リズムの実績時刻と、前記生活リズムに対応する数値情報と、前記統計データとに基づいて、所望の出力装置に出力される統計処理結果画像を生成する制御部と、を備え、前記統計処理結果画像は、仮想的な第１の軸と、前記第１の軸に直行する第２の軸を有し、前記第１の軸上には、１日の生活リズムを時系列的に表示する時系列表示領域と、前記１日分の前記生活リズムに対応する数値情報に基づく統計処理結果を表示する統計処理結果表示領域とが一連に配置された、日毎の表示領域が配置され、前記第２の軸方向に、前記日毎の表示領域が連続して隣り合い、所定日数分の統計処理結果表示領域が構成され、前記時系列表示領域は、前記第１の軸方向に時系列的に配置された、前記記憶部に記憶された睡眠、食事及び排泄に関する生活リズムの実績時刻を表す記号と、前記記憶部に記憶された睡眠に関する生活リズムに基づいて睡眠と判定される領域に表示される帯グラフとを有し、前記統計処理結果表示領域は、睡眠関連情報表示領域と、排泄関連情報表示領域と、食事関連情報表示領域とを有し、前記統計データは被介護者の総睡眠時間を含み、前記睡眠関連情報表示領域は、前記総睡眠時間を表示し、前記排泄関連情報表示領域は、前記被介護者の排泄の量と回数とを表す排泄グラフを表示し、前記食事関連情報表示領域は、前記被介護者の食事の量と回数とを表す食事グラフを表示する、という構成を具備するものである。
［ハードウェア］
【００３０】
本実施形態の被介護者情報分析支援装置の内部構成を示すブロック図が図１に示されている。同図に示されるように、被介護者情報分析支援装置は、所謂パソコン１００を主体として構成されている。パソコン１００は、周知のように、制御部１０１と、表示部１０２と、記憶部１０３と、入力操作部１０４と、外部インターフェース（Ｉ／Ｆ）部１０５とを含んで構成される。
【００３１】
制御部１０１は、パソコン１００の各部の動作を統括制御すると共に、記憶部１０３に格納された２４時間シート作成プログラム、２４時間シート作成支援プログラム又は統計処理プログラム等を実行することにより、２４時間シートの作成機能、マスタ情報の管理・作成の機能、又は被介護者情報の統計情報作成機能等をソフトウェア的に実現するものである。
【００３２】
表示部１０２は、表示コントローラや表示デバイス（液晶デバイス等）にて構成され、この表示部１０２の表示デバイス上には、後述するように、制御部１０１で生成された各種の画像（後述する各種の操作用画面、２４時間シート画面、聞き取りシート画面、統計グラフの表示画面等々）が適宜に映し出される。
【００３３】
記憶部１０３には、半導体ＲＯＭやＲＡＭ、さらには、ＨＤＤ等の記憶装置が含まれている。記憶部１０３のデータ領域には、後に説明する被介護者情報の統計処理と統計マスタデータの登録処理とを少なくとも含むプログラムと、各種のマスタデータが格納されるデータベースと、後に説明するケース記録モードにて記録された被介護者情報が格納されるデータベース等が記憶される。
【００３４】
外部インターフェース部１０５は、所謂ＵＳＢ（Ｕｎｉｖｅｒｓａｌ Ｓｅｒｉａｌ Ｂｕｓ）やＬＡＮ（Ｌｏｃａｌ Ａｒｅａ Ｎｅｔｗｏｒｋ）端子等である。これらの端子に通信ケーブルを接続することによって、記憶部１０３に格納されたデータベースのみならず、外部の端末装置やサーバ装置等の記憶装置に格納されているデータベース等を参照することもできる。また、例えば、通信ケーブル等を介して、外部のプリンタ等に生成された画像データを送信し、印刷することもできる。
【００３５】
次に、図１の記憶部１０３のメモリマップの詳細が図２に示されている。同図に示されるように、記憶部１０３には、プログラム格納部２０１とデータ格納部２０２とが含まれている。また、プログラム格納部２０１には、２４時間シート作成プログラムＰＧ１と２４時間シート作成支援プログラムＰＧ２とが格納され、データ格納部２０２には、聞き取り項目データベースＤＢ１と各被介護者毎の２４時間シートデータＤＴ１〜ＤＴｎとが格納されている。なお、図示しないが、プログラム格納部２０１には、その他、ケース記録支援プログラム及びその関連プログラム、統計処理プログラム及びその関連プログラムが格納されている。
［ソフトウェア］
【００３６】
次に、本発明に係る被介護者情報分析支援装置のソフトウェア構成を、図３〜図１６を参照して詳細に説明する。
［全体のフロー］
【００３７】
コンピュータプログラムを介して実行される処理全体を示すゼネラルフローチャートが図３に示されている。同図に示されるように、処理の全体は、聞き取り処理（ステップ１０１）、２４Ｈシート作成表示処理（２４Ｈシート一覧表示含）（ステップ２００）、ケース記録処理（ステップ３００）、統計処理（ステップ４００）及びその他のモード処理（ステップ５００）から構成される。それらの処理（ステップ１００〜５００）は、聞き取りモード判定処理（ステップ１０）、２４Ｈシート作成表示モード判定処理（ステップ２０）、ケース記録モード判定処理（ステップ３０）、統計モード判定処理（ステップ４０）及びその他のモード判定処理(ステップ５０）を介して、ユーザ操作に応じて択一的に実行される。
［聞き取りモード］
【００３８】
聞き取り処理の詳細フローチャートが図４に示されている。同図において処理が開始されると、まず、利用者ＩＤ指定処理（ステップ１０１）が実行され、個別ケアの１単位（例えば、１０名、２０名など）のそれぞれに割り当てられた利用者ＩＤの１つが指定される。
【００３９】
続いて、マスタ読込処理（ステップ１０２）を実行して、記憶部１０３から必要なマスタ情報を読み出した後、初期画面編集表示処理（ステップ１０３）を実行することによって、表示部１０２のスクリーン上に、日課ボタン群２と聞き取りシート１とを含む初期画面を表示する。後述するように、このとき、複数の「日課」ボタンのうちで、利用者毎に実行順序の異なる一部の日課ボタンについてはノンアクティブ表示とされ、また最初に選択される分類項目としては「本人の状況」ボタンが選択される。
【００４０】
しかる後、ユーザ操作を待機する状態となる（ステップ１０４→１０５ＮＯ→１０３→１０４）。この状態において、ユーザによる分類項目選択操作があると（ステップ１０５ＹＥＳ）、以後、分類項目決定処理（ステップ１０６）及び聞き取り項目別登録処理（ステップ１０７）が、当該１利用者に関する聞き取りが終了するまで繰り返し実行される（ステップ１０６→１０７→１０８ＮＯ→１０６）。
【００４１】
この状態において、当該利用者に関する聞き取り終了のためのユーザ操作が行われ（ステップ１０８ＹＥＳ）、さらに、次の利用者への利用者ＩＤの更新操作が行われると（ステップ１０９ＹＥＳ）、次の利用者へと利用者ＩＤを更新した後（ステップ１１０）、以上の処理（ステップ１０２〜１１０）が繰り返し実行され、その間に、全利用者に関する聞き取りが終了した旨のユーザ操作が行われると（ステップ１１１ＹＥＳ）、処理は終了する。
【００４２】
次に、分類項目決定処理の詳細フローチャートが図５に示されている。同図において処理が開始されると、まず、分類項目変更操作の有無が判定される（ステップ１０６１）。ここで、変更操作なしの場合（ステップ１６０１ＮＯ）、初期設定の分類項目（すなわち、「本人の状況」への決定が行われる。これに対して、変更操作ありの場合には（ステップ１６０１ＹＥＳ）、変更後の分類項目への決定処理（ステップ１０６３）が実行され、分類項目の内容は、「本人の状況」を除く、１７個の分類項目の中から、そのときアクティブ状態にある分類項目ボタンの何れかに決定される。
【００４３】
このとき、決定された分類項目ボタンが、「ベッドから起きる」ボタンであると（ステップ１０６４ＹＥＳ）、「順序選択ボタン」の操作を待って（ステップ１０６５ＹＥＳ）、「日課順序選択」ウィンドウ表示処理（ステップ１０６６）、日課順序の選択・登録処理（ステップ１０６７）、及び一連の日課ボタンを選択順序でアクティブ表示する処理（ステップ１０６８）が順に実行され、それまでノンアクティブ状態であった「日課」ボタンについても、選択された順序に並べ替えられた上で、アクティブ表示状態に設定される。これに対して、変更後の日課が、「ベッドから起きる」でなければ（ステップ１０６４ＮＯ）、そのような順序選択及びアクティブ表示処理を行うことなく、処理を終了する。
【００４４】
次に、聞き取り項目別登録処理の詳細フローチャートが図６に示されている。同図において、処理が開始されると、まず、決定済「分類項目」の読込処理が実行される（ステップ１０７１）。その後、決定済の「分類項目」に対応して、聞き取りシート画面編集表示処理（ステップ１０７２）が実行される。この聞き取りシート画面編集表示処理では、画面左側には各「聞き取り項目」が、右側には各「聞き取り内容記載欄」がそれぞれ同行で対応するようにして、聞き取りシートが表示される。
【００４５】
その後、ユーザ操作がある度に（ステップ１０７３ＹＥＳ）、聞き取り内容と聞き取り項目とを関連付けて記憶部に登録する処理が、所定の終了操作があるまで（ステップ１０７５ＮＯ）、繰り返し実行される（ステップ１０７４）。その結果、個々の利用者（被介護者）について、個別ケアに必要な情報を、簡易かつ確実に収集することができる。
［２４Ｈシート作成表示モード］
【００４６】
次に、２４Ｈシート作成表示処理の詳細フローチャートが図７に示されている。同図において処理が開始されると、まず、「日課」を１つ指定した後（ステップ２０１）、その日課の中で、さらに、「聞き取り項目」を１つ指定し（ステップ２０２）、「日課」と「聞き取り項目」とで特定される「聞き取り内容データ」を読み出す（ステップ２０３）。その後、読み出された「聞き取り内容データ」について、回答形式分析処理（ステップ２０４）及び連携先分析処理（ステップ２０５）を実行する。
【００４７】
次いで、回答形式が「文章形式」であれば、その文章を転記情報としてそのまま記憶する一方（ステップ２０８）、回答形式が「選択形式」であれば、「聞き取り内容データ」に相当する選択番号を文章に変換した後（ステップ２０７）、こうして得られた文章を転記情報として記憶する（ステップ２０８）。
【００４８】
しかる後、こうして得られた転記情報は、転記情報振り分け処理（ステップ２０９）を介して、２４Ｈシート上の該当する記載欄へと振り分けられた後、当該指定された「日課」内の「聞き取り項目」が全て終了するまで（ステップ２１０ＮＯ）、「聞き取り項目」を次の１つに指定しては（ステップ２１２）、以上の処理（ステップ２０３〜２０９）が繰り返し実行され、「聞き取り項目」が最終となるのを待って（ステップ２１０ＹＥＳ）、「日課」を次の１つに指定しては（ステップ２１３）、新たな「日課」に関して、以上の処理（ステップ２０２〜２０９）が繰り返し実行される。その間に、最終の「日課」まで、転記情報の振り分け処理が完了したならば（ステップ２１１ＹＥＳ）、処理は終了する。
【００４９】
転記情報振り分け処理の詳細フローチャートが図８に示されている。同図において処理が開始されると、まず、連携先判定処理（ステップ２０９１）が実行される。ここで、連携先は、「日課」（ステップ２０９１ａ）、「意向・好み」（ステップ２０９１ｂ）、または「その他」（ステップ２０９１ｃ）の何れかに判定される。
【００５０】
ここで、「日課」と判定された場合（ステップ２０９１ａ）、当該転記情報は２４Ｈシート上の「日課」欄へと転記される。また、「意向・好み」と判定された場合には（ステップ２０９１ｂ）、当該転記情報は２４Ｈシート上の「意向・好み」欄へと転記される。
【００５１】
これに対して、連携先が「その他」と判定されると（ステップ２０９１ｃ）、さらに、予め設定されたバージョン情報の内容が判定される（ステップ２０９４）。ここで、バージョン情報が「スタンダード版」と判定されると、転記先はなしと決定され（ステップ２０９６）、処理はそのまま終了する。したがって、必要な転記は、ワープロ入力で行う他はない。これに対して、バージョン情報が「アップグレード版」と判定されると（ステップ２０９４）、さらにその内容が、「自分で出来ること」欄または「サポートが必要なこと」欄のいずれであるかの判定が行われる。ここで、判定結果が「自分で出来ること」であれば、当該転記情報は２４Ｈシート上の「自分で出来ること」欄へと転記されるのに対し、「サポートが必要なこと」と判定された場合には、当該転記情報は２４Ｈシート上の「サポートが必要なこと」欄へと転記される（ステップ２０９８）。このように、「アップグレード版」においては、介護従事者では振り分け判断が難しい「自分で出来ること」欄や「サポートが必要なこと」欄への転記についても、これを自動的に行わせることができる。
【００５２】
次に、連携先登録処理の詳細フローチャートが図９に示されている。この連携先登録処理は、ユーザ側で、所定のマスタアクセス許可操作を行うことによって、割り込みで実行される。すなわち、処理が開始されると、まず、画面上には聞き取りシートが表示された後（ステップ５０１）、ユーザの操作を待機しつつ（ステップ５０２）、「聞き取り内容」に関する所定の指定操作の有無を監視する状態となる（ステップ５０３ＮＯ）。
【００５３】
この状態において、「聞き取り内容」指定操作ありと判定されると(ステップ５０３ＹＥＳ）、当該「聞き取り内容」指定を記憶した後（ステップ５０４）、ユーザ操作を待機しつつ（ステップ５０５）、さらに、「連携先」指定操作の有無を監視する状態となる（ステップ５０６ＮＯ）。
【００５４】
この状態において、何らかの「連携先」指定があれば（ステップ５０６ＹＥＳ）、当該「連携先」指定を記憶した後（ステップ５０７）、以上を前提として、指定された「聞き取り内容」に関し、指定された「連携先」を登録する（ステップ５０８）。その後、所定の登録操作終了処理がユーザにより行われるまでの間（ステップ５０９ＮＯ）、以上の処理（ステップ５０１〜５０８）が繰り返し実行される。
【００５５】
［ケース記録モード］
【００５６】
次に、ケース記録処理の詳細フローチャートが図１０に示されている。同図において、処理が開始されると、まず、利用者ＩＤ指定処理（ステップ３０１）、マスタ読込処理（ステップ３０２）、及び利用者「日課」読込処理（ステップ３０３）を実行した後、それら読み込まれたデータに基づいて、ケース記録シートの初期画面編集表示処理(ステップ３０４）を実行する。この初期画面編集表示処理（ステップ３０４）の実行により、表示装置のスクリーン上の左側領域には２４Ｈシートが表示され、右側領域には日々の暮らしの記録が表示され、しかも左右で同一の日課同士が同じ行同士で対応するようにして表示が行われる。
【００５７】
その後、ユーザ操作を待機する状態となる（ステップ３０５→３０６ＮＯ→３０４）。この状態において、ユーザ操作があれば（ステップ３０６ＹＥＳ）、「日々の暮らし記録」領域への書込み処理（ステップ３０７）及びケース記録シート画面編集処理（ステップ３０８）が順に実行されて、処理は終了する。
【００５８】
次に、「日々の暮らし記録」領域・書込み処理の詳細フローチャートが図１１に示されている。同図において処理が開始されると、まず、ケース記録シートの画面編集表示処理（ステップ３０７１）を実行した後、ユーザの操作を待機する状態となる（ステップ３０７２→３０７３ＮＯ→３０７１）。
【００５９】
この状態において、ユーザが何らかの記録操作を行うと（ステップ３０７３ＹＥＳ）、こうして入力された入力データは、「日々の暮らし記録」領域内のカーソルで指定される位置へと書き込まれる（ステップ３０７４）。その後、所定の終了操作があるまで（ステップ３０７５ＮＯ）、以上の処理（ステップ３０７１〜３０７４）が繰り返し実行される。
【００６０】
次に、ケース記録シート画面編集処理の詳細フローチャートが図１２に示されている。同図において処理が開始されると、まず、所定の操作待機処理の後（ステップ３０８１）、「日々の暮らしの記録」領域内の最初の１記録を指定する（ステップ３０８２）。その後、「日々の暮らしの記録」領域内の指定された１記録から実績時刻（ｔ）を読み込む（ステップ３０８３）。その後、同行左側にある「２４Ｈシート」領域内から予定時間帯の開始時刻（ｔｎ）、次の予定時間帯の開始時刻（ｔｎ＋１）を読み込む（ステップ３０８４）。しかる後、実績時刻（ｔ）が、開始時刻（ｔｎ）と次開始時刻（ｔｎ＋１）との間に収まっているかどうかの判定を行う（ステップ３０８５）。ここで、実績時刻（ｔ）が開始時刻（ｔｎ）と次開始時刻（ｔｎ＋１）との間にあれば（ステップ３０８５ＹＥＳ）、当該１記録をその位置に固定する（ステップ３０８６）。これに対して、実績時刻（ｔ）が開始時刻（ｔｎ）と次開始時刻（ｔｎ＋１）との間からはみ出していれば（ステップ３０８５ＮＯ）、当該１記録を該当時間帯へ移動する処理を実行した後（ステップ３０８７）、元の位置を固有色の空白とする（ステップ３０８９ａ）。
【００６１】
以後、次の１記録を指定しては（ステップ３０８９）、以上の処理（ステップ３０８３，３０８４，３０８５，３０８６，３０８７）を繰り返しつつ、最終記録への到達と共に（ステップ３０８８ＹＥＳ）、処理は終了する。
【００６２】
編集処理前と編集処理後とでケース記録シートがどのように変化するかを示す説明図が図１３及び図１４に示されている。
【００６３】
いま仮に、編集処理前の状態においては、２４Ｈシート領域上の一連の予定記録１ａ〜４ａと日々の暮らし記録領域上の一連の記録１ｂ〜４ｂとが同じ行同士で左右対照的に配置されているものと想定する。この状態において、日々の暮らし記録領域上に存在する２番目の記録２ｂの実績時間ｔは、その左側に位置する２４Ｈシート領域上の対応する予定記録２ａの開始時間ｔ１と次開始時間ｔ２の間から外れている（ｔ＞ｔ２）ものと想定する。
【００６４】
この状態において、編集処理が実行されると、図１４に示されるように、日々の暮らし記録領域上の２番目の記録２ｂは、該当する時間帯へと移動し、元の位置は固有色の空白とされる。ここで固有色とは、何も記載されていない場合の空白と何らかの記録が移動した結果生じた空白とを区別するためのものである。例えば、何も記載しない空白が白色でわれば、何らかの記載が移動した結果生じた空白はグレートーンとするなどである。もちろん、ここで言う固有色とは、何も記載していない当初からの空白と移動した後残された空白とを区別することができる限り、色彩のみならず、ハッチングや、梨地処理など公知の特徴表示処理を任意に採用することができる。
［統計モード］
【００６５】
次に、統計処理の詳細フローチャートが図１５に示されている。同図において、処理が開始されると、まず、初期画面の表示処理（ステップ４０１）が行われた後、後述する、統計対象となる集計期間や利用者ＩＤなどの入力処理が行われる（ステップ４０２）。
【００６６】
続いて、所定の操作待機処理（ステップ４０３）を行いながら、データ集計を開始するための集計ボタンの押下を待機する（ステップ４０４ＮＯ）。集計ボタンが押下されると（ステップ４０４ＹＥＳ）、統計対象情報の読み出し処理（ステップ４０５）が、統計対象情報入力処理（ステップ４０２）にて特定された統計対象情報をすべて読み出すまで行われる（ステップ４０６ＮＯ）。統計対象情報の読み出しが完了すると（ステップ４０６ＹＥＳ）、統計処理に関する統計マスタ情報の読み出しが行われる（ステップ４０７）。
【００６７】
続いて、読み出された統計対象情報と統計マスタ情報とに基づいて、統計対象情報演算処理が行われる（ステップ４０８）。ここで、統計マスタ情報とは統計処理を行う上でのデータの処理方法等に関する設定情報であり、具体的には後述するように、睡眠時間の算出方法の定義等に関するものを含む。従って、この演算処理によれば、例えば、特定された利用者ＩＤを有する被介護者の就寝時間と起床時間のデータより、統計マスタによって設定された方法に従って、当該被介護者の１日の総睡眠時間等が算出されることとなる。
【００６８】
続いて、グラフマスタ読出処理が行われた後（ステップ４０９）、グラフの表示処理が行われる（ステップ４１０）。なお、グラフマスタは例えば、ステップ４１０にて表示されるグラフの色や、記号の種類等を設定するグラフに関する設定情報である。また、統計データに基づくグラフの描画処理は当業者に知られる既知の手法のいずれであってもよい。
【００６９】
統計対象情報入力処理（ステップ４０２）の詳細フローチャートが図１６に示されている。統計対象情報入力処理は主に集計期間の設定処理（図１６（ａ））と利用者ＩＤの設定処理（図１６（ｂ））とから構成される。
【００７０】
まず、図１６（ａ）を参照して、集計期間の設定処理について説明する。処理の開始後、「集計期間選択プルダウン」ボタンの押下があるまでは、操作待機状態となる（ステップ４０２１、ステップ４０２２ＮＯ）。「集計期間選択プルダウン」ボタンの押下があった場合（ステップ４０２２ＹＥＳ）、集計期間の「プルダウン表示」を行い、操作者の入力があった場合には当該選択された期間を集計期間として記憶する（ステップ４０２３）。ここで、プルダウン表示される集計期間としては、例えば、１週間、２週間、月間、６０日間、９０日間、１年若しくは任意の期間など、種々の期間を指定可能である。また、統計対象が被介護者情報であって、施設入居後の記録のみ存在する場合には、例えば、当該施設への在籍期間といった指定も可能である。
【００７１】
その後、再び操作待機状態に戻る（ステップ４０２４、ステップ４０２５ＮＯ）。「集計期間設定」ボタンが押下されたことを検知した場合（ステップ４０２５ＹＥＳ）、集計期間設定の補助となるカレンダーウィンドウが表示される。当該カレンダーウィンドウにおいて、特定の日付が入力された場合、当該日付からステップ４０２３にて設定した集計期間分までの期間が統計処理の対象期間として設定される（ステップ４０２６）。なお、入力補助用のカレンダー表示等を経ずに、集計期間を直接入力可能に構成してもよい。
【００７２】
次に、図１６（ｂ）を参照して、利用者ＩＤの設定処理について説明する。まず、処理の開始後、個別ケアの１単位であるユニットを設定する「ユニット選択用のプルダウン」ボタンの押下があるまでは、操作待機状態となる（ステップ４０２７、４０２８ＮＯ）。「ユニット選択用のプルダウン」ボタンの押下があった場合（ステップ４０２８ＹＥＳ）、各ユニットの「プルダウン表示」を行い、選択されたユニットを統計対象ユニットとして記憶する（ステップ４０２９）。
【００７３】
その後、再び操作待機状態に戻る（ステップ４０３０、ステップ４０３１ＮＯ）。「利用者選択用のプルダウン」ボタンの押下があった場合（ステップ４０３１ＹＥＳ）、各利用者の「プルダウン表示」を行い、選択された利用者を統計対象者として記憶する（ステップ４０３２）。なお、ユニットの設定を経ずに、個別の利用者ＩＤ等を直接入力可能に構成してもよい。
［動作］
【００７４】
次に、以上のハードウェア構成及びソフトウェア構成を有する被介護者情報分析支援装置の動作を図１７以下の図面を参照しながら詳細に説明する。プログラムの起動直後の初期画面が図１７に示されている。同図に示されるように、この初期画面の上部には、横一列に複数のメニューボタンが配列されており、それらのメニューボタンの中に、本発明に係る「２４Ｈシート」ボタン（図では、アクティブ状態として示す）が設けられている。
【００７５】
この「２４Ｈシート」ボタンを操作すると、１つ下の階層に位置する複数の機能選択ボタンが画面左上に横１列に表示される。それらのボタンとしては、「聞き取りシート」ボタン、「２４Ｈシート」ボタン、「２４Ｈシート一覧表」ボタン、「ケース記録」ボタン、「ケース履歴」ボタン、「日報」ボタン、「オプション個人記録」ボタン、「排泄データ測定表」ボタンおよび「統計」ボタン等を含む。なお、図では、「ケース履歴」ボタン、「日報」ボタン、「オプション個人記録」ボタン、「排泄データ測定表」ボタンについては、図示を省略している。
［聞き取りモード］
【００７６】
「聞き取りシート」ボタンが操作された状態が図１８及び図１９に示されている。それらの図に示されるように、この状態においては、画面の大部分を占める聞き取りシート１と、この聞き取りシートの上部に沿って横２列に配置された分類項目選択ボタン群２が配置される。この例にあっては、分類項目選択ボタンとしては、「本人の状況」ボタン、「起床」ボタン、「カーテン・電気」ボタン、「ベッドから起きる」ボタン、「着替え（朝）」ボタン、「整容（朝）」ボタン、「食事（朝）」ボタン、「朝食後の行動」ボタン、「１０時のおやつ」ボタン、「食事（昼）」ボタン、「昼寝」ボタン、「３時のおやつ」ボタン、「食事（夕）」ボタン、「整容（夕）」ボタン、「着替え（夕）」ボタン、「ベッドに入る」ボタン、「眠る・夜中」ボタンとされている。また、それらのボタンの左端には、「全て」と記された全項目を一連に表示させるための操作ボタンが設けられている（図４、ステップ１０１〜１０５参照）。
【００７７】
そして、これらのボタンの１つを押すと、そのボタンに対応する「聞き取り項目」及び「聞き取り内容」が左右に対応する形で聞き取りシート１上に表示される（図４、ステップ１０６，１０７参照）。
【００７８】
なお、以上説明した１８個の分類項目選択ボタンは、初期状態において、アクティブ表示状態のものとノンアクティブ表示状態のものとがある。この例にあっては、図１９に示されるように、「排泄」、「着替え（朝）」、「整容（朝）」、及び「食事（朝）」からなる４個のボタンのみがノンアクティブ状態であって、その他の１４個のボタン（「本人の状況」、「起床」、「カーテン・電気」、「ベッドから起きる」、「１０時のおやつ」、「食事（昼）」、「昼寝」、「入浴」、「３時のおやつ」、「食事（夕）」、「整容（夕）」、「着替え（夕）」、「ベッドに入る」、及び「眠る・夜中」ボタンについてはアクティブ状態とされている（図４、ステップ１０３参照）。
【００７９】
そして、分類項目選択ボタンのうちで、アクティブ状態にある１４個のボタンについて、それを個別に操作した場合、図１８に示されるように、画面上の聞き取りシート１上には、１若しくは２以上の「聞き取り項目」とそれに対応する聞き取り内容表示欄とが左右に対応付けられて表示される。これに対し、ノンアクティブ状態にあるボタンについては仮にそれを操作したとしても、聞き取りシートを表示させることができない。
【００８０】
一方、「全て」ボタンを操作した場合、図１９に示されるように、聞き取りシート１上には、そのときアクティブ状態にある分類項目選択ボタンのそれぞれに対応する聞き取り項目が一連に表示され、それら各聞き取り項目の右側には聞き取り内容記載欄が表示される。
【００８１】
さらに、特徴的な事項であるが、この例にあっては、アクティブ状態にある「ベッドから起きる」ボタンを操作した場合、図１８に示されるように、聞き取り項目表示欄の最下段には、聞き取り項目として「ベッドから起きたら、その次に何をしますか？（整容・洗濯・着替え・リビングに出る）」が表示され、その右側には「順序選択ボタン」が表示される（図５、ステップ１０６４，１０６５参照）。
【００８２】
そして、この順序選択ボタンが操作されると、図２０及び図２１に示されるように、「日課順序選択」表示ウィンドウが表示され（図５、ステップ１０６６参照）、このウィンドウ内には、順序と分類項目とを対応付けた対照表が表示される。この例では、分類項目としては、「排泄」、「着替え（朝）」、「整容（朝）」、及び「食事（朝）」が一連に表示され、その左側には順序表示欄が設けられる。この順序表示欄は当初空欄とされており、それぞれに算用数字をワープロ機能を利用して書き込むことによって、それら一連の分類項目の実行順序を任意に設定できるようになっている（図５、ステップ１０６７）。同ウィンドウにおいて、順序数字を記述した後、「確定」ボタンを操作すると、以後、順序を入れることによって選択された分類項目については、該当するボタンがアクティブ表示状態となる（図５、ステップ１０６８）。
【００８３】
この状態において、「全て」ボタンが操作されると、聞き取りシート上には、当初からアクティブ状態にある操作ボタンの他に、先ほどの選択操作によって選択されたボタンがアクティブ状態として追加される。また、聞き取りシート１上には、各分類項目ボタンに対応する聞き取り項目と聞き取り内容とが左右に対応付けられた状態にて、上下方向に一連に表示される（図１９参照）。そして、オペレータは所定のスクロール操作を行うことにより、完成した又は作成中の聞き取りシート１の内容を目視確認することが可能となるのである。
【００８４】
このように、この実施形態によれば、２４時間シート４の作成にあたって、聞き取りシート１のガイド機能（聞き取り項目表示）を利用することで、該当する聞き取り項目毎に対応する内容を被介護者から聞き取って、ワープロ機能を利用して記述、又は「はい／いいえ」で回答するだけで、初心者でも容易に被介護者から日課の聞き取り記述を行うことができ、この種の２４時間シート４の作成操作を簡便なものとすることができる（図６、ステップ１０７１〜１０７５）。後に詳細に説明するように、こうして入力された「聞き取り内容」については、２４時間シート４上の該当する記載欄に自動的に転記されることとなる（図７、ステップ２０１〜２１１参照）。
【００８５】
しかも、この実施形態においては、１８個の分類項目選択ボタンの中で、被介護者のそれぞれに応じて必ずしも順序が一定とならない４個の選択ボタン（「排泄」、「着替え（朝）」、「整容（朝）」、及び「食事（朝）」ボタン）については、初期状態では、ノンアクティブ状態としてあるため（図１９参照）、それらの項目については、各被介護者の生活スタイルに応じた任意の順番に並べ替えることができる（図５、ステップ１０６４，１０６５，１０６６，１０６７，１０６８参照）。
【００８６】
加えて、個々の分類項目選択ボタンの他に、「全て」ボタンを設け、聞き取りシート上において、個々の分類項目選択ボタンを個別に表示したり、あるいはその時点で全てアクティブとされた全ての項目選択ボタンに対応する聞き取り項目を一連に表示したりすることを選択的に可能としたため、ひとたび入力が完結した後にあっては、「全て」ボタンを操作することによって、一連の聞き取り項目を順に且つ容易に入力することができる一方（図１９参照）、個々の分類項目について個別に設定する場合には、他の項目ボタンに関する表示を行わないことによって、無関係な項目に関する誤入力を防止できるといった作用効果を奏することもできる（図１８参照）。
［２４Ｈシート作成表示モード］
【００８７】
こうして聞き取りシートを用いて登録された内容事項は、図２２及び図２３に示されるように、「新規」ボタンを操作することによって、２４時間シート４上に自動的に転記される（図７、ステップ２０１〜２１１参照）。具体的には、２４時間シート上に設けられた、「日課」欄及び「意向・好み」欄に自動的に転記されることとなる。なお、「自分で出来ること」欄及び「サポートが必要なこと」については、別途ワープロ入力操作によって該当する文章を自由に記述することができるようになっている（図８、ステップ２０９４、２０９６参照）。
【００８８】
ここで、この実施形態で採用された２４時間シートについて付言すると、図２２及び図２３に示されるように、２４時間シートは、「時間」欄、「日課」欄、「意向・好み」欄、「自分で出来ること」欄、「サポートが必要なこと」欄、及び「医療情報」欄を有している。
【００８９】
そして、「時間」欄は、上下方向へ時間軸を表示するものであって、２４時間軸上において、ユーザにより設定された時刻を数値表示する。また、「日課」欄は、各時間軸に対応させて、当該被介護者の実施する日課に相当する文字列が自動的に記述される。それらの文字列としては、この例にあっては、「起床」、「カーテン・電気」、「ベッドから起きる」、「整容（朝）」等々を挙げることができる。「意向・好み」欄には、先ほど説明した聞き取りシート上で設定された項目が自動的に転記される。なお、「自分で出来ること」欄、「サポートが必要なこと」欄、及び「医療情報」欄については、別途ワープロで入力された文字列を表示させることができる（スタンダード版の場合）。
【００９０】
図２２及び図２３の例では表示されていないが、「医療情報」欄に並べて、「留意点など」欄を別途設けることができる。このように「留意点など」欄及び「医療情報」欄の選択については、別途設けられたマスタテーブル上のデータ操作によってこれを自動的に出現させたり消去させたりすることができるようになっている。
【００９１】
さらに、図２２及び図２３に示されるように、画面の左上には「留意点」ボタンがあるが、この「留意点」ボタンについては、これを操作することによって、図２４に示されるように、所定の入力ウィンドウ５を表示させ、この表示させたウィンドウ５内に留意点となるべき文字列を記述することによって、図２８に示されるように、「サポートが必要なこと」欄の該当する箇所に、当該留意点に対応する文字列９を特徴的（例えば、特徴的な着色、ハイライト表示等々）に表示させることができる（図２８参照）。
［２４Ｈシート一覧表示モード］
【００９２】
次に、２４時間シート一覧表６について説明する。この実施形態においては、先に説明したように、「聞き取りシート」をガイドとして、誰でも容易に、「２４時間シート」上に該当する項目を記述することができる。その後、「２４Ｈシート一覧表」ボタン（例えば、図１５参照）を操作することによって、２４時間シート上で作成された、日課項目を、利用者毎に一覧表示させることができる。
【００９３】
こうして作成された一覧表６の一例が図２５に示されている。同図に示されるように、この２４時間シート一覧表６においては、左右方向１列に利用者名を一連に表示すると共に、各利用者欄毎に上下方向に、当該利用者の日課を一連に表示させることができる。
【００９４】
従って、この２４時間シート一覧表によれば、この種の個別ケアに含まれる１単位分（例えば１０人又は２０人）のそれぞれの日課を、一目瞭然に介護者に対して知らしめることができる。
【００９５】
なお、この例にあっては、各利用者に関し、一連の日課のみを表示させるようにしているが、各利用者の「意向・好み」、「自分で出来ること」、「サポートが必要なこと」を知りたい場合には、各利用者名毎にその下に設けられた「詳細」ボタンを操作することによって、図２６に符号７で示されるように、それぞれの必要項目を個別に確認することもできる。従って、この実施形態によれば、多数の利用者に関する日課並びに必要事項を時間単位で確認することができる。
【００９６】
なお、この例にあっては、図２７に示されるように、現在時刻に対応する水平方向１列のカーソル８が、時間軸方向に順次移動することによって、現時刻における各利用者の日課を一目瞭然に確認することができるという利点もある。しかも、この２４時間シート一覧表６において、各時間軸の刻み幅については、別途設けられたマスタテーブル上の設定によって１５分単位、３０分単位、６０分単位のごとく自由に決定することができるから、各事業所毎に、最適な時間幅を設定することによって、各事業所に合った管理を実現することができる。
【００９７】
以上説明したように、この実施形態によれば、この種の２４時間シート４を作成するについて、これを所定の聞き取りシート１に基づいて誰でも容易に行うことができ、しかも作成された２４時間シートに基づき、２４時間シート一覧表６を表示させることで、個々の利用者における日課を時間単位で正確に確認することができる。
［アップグレード版］
【００９８】
次に、改良された実施形態（以下、「アップグレード版」と称する）について説明する。このアップグレード版においては、聞き取りシート１自体のユーザサイドにおける作成自由度を向上させると共に、聞き取りシート１から２４Ｈシート４へのユーザサイドにおける連係自由度を増すことにより、使い易さをより一層向上させたものである。
【００９９】
すなわち、図２９に示されるように、聞き取りシートの画面上において、画面右上に位置する「他」ボタンが押下されると、マスタアクセスが許可され、図９に示されるように、連携先登録処理が実行される。すると、図３０に示されるように、マスタ設定用ウィンドウ１２が開かれる。このウィンドウ１２の上部には、横一列に、「聞き取りシート質問方式切替」ボタン、「聞き取り項目（本人の状況）」ボタン、「聞き取り項目（日課）」ボタン、「２４Ｈシート日課」ボタンが配列されている。それらのボタンの中で、「聞き取り項目（日課）」ボタンが押下されると、図３１に示されるように、別のマスタ設定用ウィンドウ１３が開かれ、質問内容の作成、回答形式の設定、回答自体の作成（文章形式の場合には、聞き取りシート画面で登録。選択形式の場合には、各選択肢毎の回答文章の登録）、及び提携先日課又は提携先項目の設定が可能となる。さらに、図３２に示されるように、別のウィンドウ１４を開くことにより、ケース記録画面上の日課に対するデータ項目の連動を設定することも可能となる。
【０１００】
このように、アップグレード版においては、聞き取りシート上においてマスタ設定用ウィンドウを開くことにより、回答内容（文章形式又は選択式）と「自分で出来ること」欄や「サポートが必要なこと」欄との連携も可能としたので、図３３に示されるように、聞き取りシート上に書き込まれた回答内容のうちで、「自分で出来ること」や「サポートが必要なこと」については、スタンダード版のように、ワープロ機能を利用してその都度手入力せずとも、該当する記載欄に自動的に転記されるから、２４Ｈシート作成における使い勝手が良好なものとなる。
［ケース記録モード］
【０１０１】
次に、図３４を参照して、ケース記録シートについて説明する。同図に示されるように、ケース記録シート１０は、左側に位置する「２４Ｈシート」領域１６と右側に位置する「日々の暮らしの記録」領域１７とから構成される。「２４Ｈシート」領域１６には、左から順に、「時間」欄、「生活リズム」欄、「サポートの必要なこと」欄が配置されている。同様にして、左から順に、「日々の暮らしの記録」領域にも、「時間」欄、「生活リズム」欄、「データ」欄、「その時の様子」欄、「記録者」欄、及び「日報」欄が配置されている。
【０１０２】
「２４Ｈシート」領域１６の「時間」欄、「生活リズム」欄、「サポートの必要なこと」欄のそれぞれには、該当する内容が２４Ｈシートから自動的に転記されている。すなわち、「２４Ｈシート」領域の「時間」欄、「生活リズム」欄、「サポートの必要なこと」欄のそれぞれは、図２２及び図２３の「時間」欄、「日課」欄および「サポートの必要なこと」欄の記載にそれぞれ対応している。なお、「生活リズム」欄の内容は、上述の「日課」欄の内容と同一の内容であり、２４Ｈシートの他の表現形式である。また、同図においては、１番目の記録は「０５：４０  食事（朝）」、２番目の記録は「１０：００  １０時のおやつ」、３番目の記録は「１２：１０  食事（昼）」、４番目の記録は「１３：００  昼寝」、第５番目の記録「１４：００  排泄」とされている。そして、それら第１番目の記録、第２番目の記録、第３番目の記録、第４番目の記録、第５番目の記録・・・のそれぞれと水平方向に一列に並ぶようにして、各記録に対応した「日々の暮らしの記録」領域１７が設けられている。
【０１０３】
すなわち、この例にあっては、「２４Ｈシート」領域１６内の第１、第２、第３、第４、第５・・・の記録のすぐ右隣には、それらの記録にそれぞれ対応した「日々の暮らしの記録」領域１７が設けられている。先に説明したように、この「日々の暮らしの記録」領域は、「時間」欄、「生活リズム」欄、「データ」欄、「そのときの様子」欄、「記録者」欄、「日報」欄に分かれている。
【０１０４】
そして、介護施設の係員は、この「日々の暮らしの記録」領域１７内に、該当する「生活リズム」の実施された実績時間、そのときの体温、血圧、食事量又は排泄量などのデータ、その他の様子、記録者名、日報に記録するかどうかのチェックなどを、上から下へ順次行うことによって、２４Ｈシート上の各予定生活リズムの実施記録を容易に行うことができる。
【０１０５】
例えば、図３４において、「日々の暮らしの記録」領域１７の第１番目の「食事（朝）」の記録にあっては、「データ」欄内の主食・副食・飲み物・汁の欄に対して、それぞれの摂取量が記入される。同図の例にあっては、分数や数値を用いて、飲食物の摂取量が記入されている。この記入の形式に関しては、後述するケース記録のマスタ設定画面等により変更することが可能である。また、「その時の様子」欄には、介護者等によって、被介護者の様子、すなわち、同図の例にあっては、「おいしそうに食べていました」といったコメントが記入される。さらに、「記録者」欄にあっては、介護者等の記入者の氏名又はＩＤが記入され、日報欄には日報への記録の要否等が記入される。
【０１０６】
また、図３４において、「日々の暮らしの記録」領域１７の第５番目の「排泄」の記録にあっては、「データ」欄内の便量および尿量の欄、便性状および尿性状の欄に対して、数値と記号を用いて、それぞれ、便および尿の排泄量、便および尿の性状が記入される。また、「その時の様子」欄には、介護者等によって、便又は尿の性状に関するコメントや、そのときの被介護者の様子等が記入され、同図の例にあっては、「量・質ともに問題ありませんでした。」とのコメントが記入されている。さらに、「記録者」欄にあっては、介護者等の記入者の氏名又はＩＤが記入され、日報欄には日報への記録の要否等が記入される。
【０１０７】
なお、図３４において、図示は省略するが、「日々の暮らしの記録」領域１７の「データ」欄に体温（℃）や最高又は最低血圧（ｍｍＨｇ）等の記入欄を設け、例えば、「ベッドから起きる」といった生活リズムに合わせて、対応する記入欄にそれらの数値を記入させるように構成してもよい。このように構成すれば、所定の生活リズムの際の被介護者の体温や血圧等を記録することが可能となる。
【０１０８】
ここで、図３５を参照して、ケース記録に用いるマスタ情報を設定するマスタ設定画面について説明する。まず、図３４の「他」ボタン１５を押下することにより、図３５（Ａ）に示すマスタ設定ウィンドウが起動する。その後、同ウィンドウ内の「マスタ」ボタン１５１と「設定」ボタン１５２のうち、「マスタ」ボタン１５１を押下することにより、図３５（Ｂ）に示すマスタ設定ウィンドウが起動する。図３５においては、「食事摂取量」、「水分」、「便性状」、「尿性状」・・・といった複数の項目タブが、画面上部に水平一列に配置されており、それぞれの項目タブを選択することにより、当該項目に関連するマスタ設定が可能となるよう構成されている。なお、同図においては、「食事摂取量」タブがアクティブ状態となっている。
【０１０９】
図３５（Ｂ）は、「食事摂取量マスタ」の設定画面である。同図において、「摂取名称」欄１５３は、図３４の「日々の暮らしの記録」領域１７の「データ」欄への記入方法を表し、「割合」欄１５４は、そのときの食事等の摂取量又は摂取割合等を表す。すなわち、図３５（Ｂ）のマスタ設定画面により、ケース記録欄への記入方法と、実際の食物等の摂取量又は割合との対応関係等を設定することができる。これにより介護者等は任意の記入方法にてケース記録を行うことができる。
【０１１０】
すなわち、このケース記録シートにあっては、２４Ｈシート上において予定された生活リズムのそれぞれのすぐ右隣に、日々の暮らしの記録欄が１対１に対応するように配置されているため、該当する生活リズムの実施記録を確実に残すことができる。また、「日報」欄に、チェックマークを付けることによって、その記録内容を、日報上に自動的に反映させることができる。すなわち、図３６に示されるように、日報シートの右半分の領域には、ケース記録上で項目（日報）にチェックを押下した当日のユニット内全利用者のそのときの様子を表示させることができる。
【０１１１】
このようにして、ケース記録が完了したならば、図３４において、「保存」ボタンを操作する。すると、図１０に示されるように、ケース記録シート画面の編集処理が実行される（ステップ３０８）。
【０１１２】
先に説明したように、ケース記録シート画面編集処理の詳細を示すフローチャートが図１２に、ケース記録シート（編集処理前）が図１３に、ケース記録シート（編集処理後）が図１４にそれぞれ示されている。
【０１１３】
いま仮に、図１３に示されるように、編集処理前のケース記録シート上には、２４Ｈシート領域にあっては、時間順に４個の記録１ａ，２ａ，３ａ，４ａが存在し、日々の暮らしの記録領域には、同様にして４個の実績記録１ｂ，２ｂ，３ｂ，４ｂが存在するものと想定する。そして、１ａと１ｂ、２ａと２ｂ、３ａと３ｂ、４ａと４ｂとは、互いに左右に隣り合うようにして配置されている。
【０１１４】
この状態において、日々の暮らし記録領域内における２番目の実績記録２ｂに含まれる実績時間ｔが、２４Ｈシート領域内において左隣に位置する予定記録２ａの時間範囲ｔ１〜ｔ２から外れていた（ｔ＞ｔ２）ものと想定する。
【０１１５】
この状態において、編集処理が実行されると、実績記録２ｂは該当する時間帯へと移動され（ステップ３０８７）、実績記録２ｂがそれまで存在した位置には固有色の空白が残される。より詳細に説明するならば、いま仮に、実績時間ｔが、時間ｔ２とｔ３との間に存在すると、左右一対の記録４ａと４ｂとは、左右の位置関係を維持したまま下方へシフトされ、左右一対の記録（３ａ，３ｂ）と左右一対の記録（４ａ，４ｂ）との間には隙間が作られる。そして、日々の暮らし記録領域内の隙間は実績記録２ｂによって埋められ、他方、２４Ｈシート領域内の隙間には固有色の空白が残される。ここで、固有色とは、当初から何も記載されていない空白との区別をなすものである。加えて、日々の暮らし記録領域内の空白の固有色と、２４Ｈシート領域内の空白の固有色とは異なる色とされている。そのため、ケース記録シートの全体を見ても、空白の色が異なることから、それまで何らかの記録が存在していたものが移動した結果生じた空白であることを容易に認識することができる。
【０１１６】
このように以上説明したケース記録シートによれば、予定通りに実施された記録に関しては、左右で対をなすことからこれを簡単に認識することができる一方、予定と実績とが時間的に食い違う場合には、何れかの側が空白となることによって、予定と実績との相違を一目瞭然に把握することができる。
【０１１７】
なお、図３３に示されるように、２４Ｈシート上において、「日課」欄と「意向・好み」欄との間には、「種別」欄が設けられる。この「種別」欄には、各１記録行毎に、◎印、※印、△印からなる３種類の記号が選択的に付されるようになっている。ここで、◎印は、厚労省ケアプラン計画書の必須項目（必ず実行しなくてはならずかつ報告の義務がある）を意味し、※印はその利用者特有の事項（特別のサポートが必要なこと、あるいは暴れることから２名以上の介護者が必要である等）、△印は不定期に行う必要がある事項（週に一回程度の散歩、曜日によって視聴するテレビ等）を意味している。そして、各日課のそれぞれ毎に、それらの記号を付すことにより、２４Ｈシートを利用して介護に当たる介護係員は、これらの記号を注意することによって、仕事の慣れによるミスや、準備不足による失敗などを未然に防止することが可能となる。
［統計モード］
【０１１８】
次に、図３７乃至５２を参照して、統計モードについて説明する。図３７はプログラム起動直後の初期画面を表し、図１７と同様に機能選択ボタンを複数有する。同図においては、図１７にて記載を省略した「ケース履歴」ボタン、「日報」ボタン、「オプション個人記録」ボタン及び「排泄データ測定表」ボタンについても図示されている。図３７においては、画面上部に一列に配置された機能選択ボタンのうち、「統計」ボタン１８がアクティブとされており、当該「統計」ボタン１８がアクティブ状態となることに伴って、「生活記録」ボタン１９が表示される。そして、「生活記録」ボタン１９が選択されることにより、「生活記録」ウィンドウ２０が起動する。この「生活記録」ウィンドウ２０が、統計モードの初期画面（ステップ４０１）に相当する。
【０１１９】
図３８は、「生活記録」ウィンドウ２０の初期画面を示す。「生活記録」ウィンドウ２０は、主にデータの統計対象の設定処理を行う際に用いられるボタン等が配置される「統計対象設定」領域２１と、統計処理の結果の表示を行う「統計処理結果表示」領域２２とから構成される。
【０１２０】
図３８および図３９を参照して、統計情報の集計期間を設定するための処理（図１６（ａ））について説明する。まず、操作者は、「統計対象設定」領域２１内の「集計期間プルダウン」ボタン２３を選択することにより、集計期間に関するプルダウンメニューを呼び出す（ステップ４０２２）。当該プルダウンメニューは例えば、１週間、２週間、月間、６０日間、９０日間又は１年等の期間を含む。なお、本実施例ではプルダウンメニューとしているが、数値入力等により、任意の期間を設定可能としてもよい。その後、操作者は当該プルダウンメニューから一の期間を選択することにより、集計期間を設定することができる（ステップ４０２３）。
【０１２１】
さらに、操作者は、前記プルダウンメニューにて一の期間を指定後、「集計期間設定」ボタン２４を押下する（ステップ４０２５）。この「集計期間設定」ボタン２４の押下により、新たに、図３９に示す集計期間の設定を補助するカレンダー画面２４２が表示される。当該カレンダー画面２４２においては和暦又は西暦を用いた選択により年が指定可能となっており、また、月選択ボタン２４３により、月が設定可能となっている。なお、カレンダー領域２４１における祝日の表示の有無についても、祝日表示選択ボタン２４４により設定可能となっている。
【０１２２】
前記プルダウンメニューにて設定された集計期間が１週間である場合の例が図３９（Ａ）に示されている。このとき、カレンダー領域２４１の平成２４年１１月２９日に相当する領域２４５を選択することにより、当該日から１週間の期間となる平成２４年１２月の５日までの期間が連続してハイライト表示される。この状態にて、確定ボタン２４６を選択することにより、統計情報の集計期間として、平成２４年１１月２９日から平成２４年１２月５日までの期間が設定されることとなる（ステップ４０２５）。前記プルダウンメニューにて設定された集計期間が２週間である場合（図３９（Ｂ））も同様に、カレンダー領域２４１の平成２４年１１月２２日に相当する領域２４５を選択することにより、当該日から２週間の期間となる平成２４年１２月の５日までの期間が連続してハイライト表示される。この状態にて、確定ボタン２４６を選択することにより、統計情報の集計期間として、平成２４年１１月２２日から平成２４年１２月５日までの期間が設定されることとなる（ステップ４０２５）。一方、前記プルダウンメニューにて設定された集計期間が１月間である場合には、図３９（Ｃ）に示される画面が表示される。当該画面において、１２月に相当する領域２４８を選択することにより、平成２４年１２月が統計情報の集計期間として設定されることとなる（ステップ４０２５）。このように、本実施例においては、統計期間の入力を、入力の補助となるカレンダー画面を介して行うので、操作者はミスを少なく、容易に統計期間を設定することができる。
【０１２３】
次に、図３８を参照して、利用者ＩＤの設定処理について説明する（図１６（ｂ））。まず、操作者は、個別ケアの単位であるユニットを選択する「ユニット選択用のプルダウン」ボタン２５を選択（ステップ４０２８）することにより、ユニット群を表示し、当該ユニット群の中から、一のユニットを選択する（ステップ４０２９）。その後、操作者は、「利用者選択用のプルダウン」ボタン２６を選択（ステップ４０３１）することにより、先に選択したユニットに属する利用者リストを表示し、当該リスト中から、一の利用者又は利用者ＩＤを選択する（ステップ４０３２）。このように、本実施例においては、統計対象となる利用者の階層的な選択が可能なように構成されているので、短時間で効率的な利用者選択を行うことができる。
【０１２４】
次に、図４０を参照して、統計の方法等を設定するためのマスタの設定方法について説明する。まず、同図の「他」ボタン２７を選択すると、「その他の機能」ウィンドウ２８が起動する。「その他の機能」ウィンドウ２８は、「マスタ」ボタン２９と「設定」ボタン３０とを有する。「設定」ボタン３０を介して、後述する統計データのグラフ表示に関する各種の設定、例えばグラフの色や、表示記号の種類等を設定することができる。一方、「マスタ」ボタン２９を選択することにより、後述する各種の統計マスタを設定することができる。
【０１２５】
「マスタ」ボタン２９選択後の各種統計マスタの設定画面の例が図４１及び４２に示されている。図４１は、睡眠判定の設定に関する画面を示す。睡眠判定設定は、生活リズム名称欄２９１と、睡眠判定区分２９２を有しており、各生活リズム名称と各睡眠判定区分はそれぞれ同一の行上に隣接して配置されている。睡眠判定区分２９２の各行は選択されることによりプルダウンメニューを表示し、当該プルダウンメニューにより、「設定なし」、「起床」、「昼寝」又は「就寝」など各種の睡眠に関する行為を設定することができる。このような構成により、操作者は、いずれの生活リズムを睡眠に関する行為と対応させるかを任意に設定することができる。例えば、同図においては、「ベッドに入る」という生活リズムと「眠る・夜中」という生活リズムはいずれも、「就寝」の睡眠判定区分となるよう設定されている。そのため、ケース記録時にたとえ入力の揺れ等があった場合であっても、そのような揺れに左右されることなく、一定の睡眠判定を行うことが可能となる。
【０１２６】
図４２は、昼寝の睡眠時間の算出方法の設定に関する画面を示す。昼寝の睡眠時間の算出方法設定画面は、個別ケアの単位を表すユニットを示す「部屋グループ名称」欄２９３と、「昼寝の睡眠時間の算出方法」欄２９４とを含み、各欄の各行は同一行上で隣り合っている。「部屋グループ名称」欄２９３の各行は選択可能となっており、選択することによりプルダウンメニューを表示し、当該メニューから所望のユニットを選択することができる。これにより、ユニット毎に、後述の昼寝の睡眠時間の算出方法について設定することができる。一方、「昼寝の睡眠時間の算出方法」欄２９４の各行はそれぞれ、ラジオボタンの形式により、「次の生活リズムまで」と「起床の生活リズム」までの２つから選択可能に構成されている。ここで、当該２つの選択肢はいずれも昼寝の睡眠の終了判定について定めるものであり、「次の生活リズムまで」とは、すなわち、就寝の後、次の生活リズム、例えば「食事（夜）」が記入された場合、当該「食事（夜）」までを昼寝時間として算出することを意味し、一方、「起床の生活リズムまで」とは、すなわち、就寝の後、「起床」の生活リズムが到来するまでを昼寝時間として算出することを意味する。このような構成によれば、操作者は、昼寝時間の定義を任意に設定することができる。
【０１２７】
次に、統計データのグラフ表示について、図３８、図４３乃至５１を用いて説明する。上記の統計対象情報入力処理（ステップ４０２）および統計マスタの設定処理の後、図３８の「集計」ボタン２８を選択（ステップ４０４）することにより、統計対象情報の読出処理（ステップ４０５）が開始する。統計対象情報の読出処理においては、少なくとも、統計対象として設定された利用者の、先に設定した集計期間分の対象データが読み出される（ステップ４０５およびステップ４０６ＮＯ）。
【０１２８】
統計対象となる情報の読出処理の終了（ステップ４０６ＹＥＳ）の後、先に設定した統計マスタの読み込み処理が行われる（ステップ４０７）。その後、統計対象情報の演算処理（ステップ４０８）が行われる。
【０１２９】
統計対象情報の演算処理（ステップ４０８）により、後に表示される種々の統計データが算出される。例えば、先に述べたケース記録モードにて記録された、睡眠に関する各「生活リズム」とその時刻に関するデータから、先に設定した睡眠に関連するマスタ情報に沿って、統計対象者の１日の総睡眠時間等が演算される。また、ケース記録時に記録された食事の量（主食・副食・飲み物・汁）に関するデータから、食事等の一日の平均摂取量等が算出される。また、ケース記録時に記録された排泄の量（便量及び尿量）に関するデータから、排便と排尿について一日の総排泄量がそれぞれ算出される。
【０１３０】
上記演算の後、グラフの色等について設定するグラフマスタの読出処理を行い（ステップ４０９）、統計グラフの表示処理を行う（ステップ４１０）。
【０１３１】
統計データのグラフ表示の表示例を図４３及び図４４に示す。統計データのグラフ表示結果は、統計処理結果表示領域２２内に表示される。統計処理結果表示領域２２は、スクロールバー３０を用いて、スクロール可能なように構成される。図４３は、スクロールバーが上方にあるときの表示例であり、図４４は、スクロールバー３０が下方にあるときの表示例である。この例にあっては、スクロールバー３０が上方にあるときは、統計対象者の２４時間の生活の様子を表す２４時間の時系列表示領域２９が主に表示され、一方、スクロールバー３０が下方にあるときは、食事量、排泄量、睡眠時間及びバイタル情報等を表示する統計情報表示領域３４が主に表示される。
【０１３２】
時系列表示領域２９と統計情報表示領域３４とは、２４時間の時系列を表す時間軸とスクロールバー３０のスクロール方向と平行に、直列に配置されており、また、各時系列表示領域と各統計情報表示領域は、上記時間軸と直行する方向に日付毎に並列的に配置されている。このような構成によれば、操作者は、スクロールバー３０の操作に応じて、統計対象者の一日（２４時間）の生活リズムの記録を追うことができるとともに、当該スクロールの延長上にて、当該日付の生活リズムに伴うデータを把握することができるため、直観的に統計対象者の一日の様子を把握することができる。さらに、各時系列表示領域２９と各統計情報表示領域３４が日付毎に隣り合って表示されることから、各日付同士の対比を容易にすることができ、これにより、統計対象者である被介護者等の経時的な変化の様子を的確に把握することができる。
【０１３３】
図４３を参照しつつ、時系列表示領域２９について説明する。時系列表示領域２９には、ケース記録モードにて記録された各種の実績値に基づいて、グラフ表示が行われる。すなわち、同図の表示例にあっては、画面左に２４時間の時間軸が画面縦方向に表示され、当該時間軸に沿って、統計対象者の睡眠時間に相当する時間帯が、日付毎に帯グラフ３１にて表示される。また、起床、就寝、排泄、食事などを表す記号３２が上記時間軸上に日付毎にそれぞれ区別可能な記号（ひし形、四角、星など）でプロットされる。後述するように、所定の条件の下、同一の記号同士は各日付間で線分にて結ばれる。なお、記号３２の凡例３３は時系列表示領域２９の周辺に配置される。
【０１３４】
このような構成によれば、睡眠時間が帯グラフで表示され、食事や排泄に関する各種生活行為は時系列上に記号にて表示されるので、被介護者の本能的・根源的欲求である「食べて（食事）・出して（排泄）・寝る（睡眠）」ということに関わる情報を、一目で把握することができ、これにより、被介護者の暮らしの全体像を容易に把握することができる。また、各時系列表示領域は、日付毎に互いに並列的に表示されるので、起床や就寝時間の推移や、食事や排泄の時刻の変化など、被介護者の暮らしぶりの変化を瞬時に把握することができる。
【０１３５】
なお、上記では、「食べて（食事）・出して（排泄）・寝る（睡眠）」ということに関わる情報が人間の本能的・根源的欲求に関するものであると説明した。これは、心理学の分野においてアブラハム・マズローが提唱した所謂「マズローの欲求階層説」からも説明される。すなわち、人間は生命維持に関わる「食事・睡眠・排泄」に関する欲求を有しており、それらはマズローの提唱した複数の階層を有する欲求階層のうち最下層（すなわち、最も本能的・根源的な欲求）に位置するとされる。本件の発明者らは、当該本能的・根源的欲求が、被介護者にとっても当然に本能的・根源的な欲求であることに着目し、本発明を成したものであり、被介護者の本能的・根源的な欲求が満たされているか否か（例えば、それらの欲求が自分のペースで満たせているか否か等）を客観的に把握することは、被介護者に対して提供する介護を考える上で、重要な情報である。
【０１３６】
図４４を参照しつつ、統計情報表示領域３４について説明する。統計情報表示領域３４には、ケース記録モードにて記録された各種の実績値と、当該実績値から算出（ステップ４０８）された値に基づいて、グラフ表示が行われる。すなわち、同図の表示例にあっては、統計情報表示領域３４は、臥床時間表示領域３４１、バイタル情報表示領域３４２、排泄情報表示領域３４３および食事情報表示領域３４４が、時系列表示領域２９の延長上に一連に配置されることにより構成される。詳細には、臥床時間表示領域３４１には、統計対象情報演算処理（ステップ４０８）にて算出された１日の総睡眠時間が日付毎に表示される。また、排泄情報表示領域３４３には、排便量と排尿量に分けて、日付毎に各排泄量が回毎に積上げグラフ表示され、かつ統計対象情報演算処理（ステップ４０８）にて算出された総排泄量が当該積上げグラフの直上に表示される。さらに、食事情報表示領域３４４には、主食、副食、汁物に分けて、日付毎に各摂取量が積上げグラフ表示され、かつ、主食、副食、汁物毎に統計対象情報演算処理（ステップ４０８）にて算出された平均摂取量が当該積上げグラフの直上に表示される。加えて、バイタル情報表示領域３４２には、日付毎および取得回毎に体温、最高血圧、最低血圧が表示される。
【０１３７】
このような構成によれば、統計情報表示領域３４が、臥床時間表示領域３４１、排泄情報表示領域３４３および食事情報表示領域３４４を含むので、被介護者の本能的・根源的欲求である「食べて（食事）・出して（排泄）・寝る（睡眠）」ということに関わる情報を、一目で把握することができ、これにより、被介護者の暮らしの全体像を容易に把握することができる。また、時系列表示領域２９には睡眠時間が帯グラフ表示され、一方、統計情報表示領域３４は、積上げグラフ表示された排泄量および食事量を含むので、操作者は、統計対象者である被介護者の本能的・根源的欲求である「食べて（食事）・出して（排泄）・寝る（睡眠）」ということに関わる情報を、グラフィック表示により、日付毎に定量的に把握することができる。
【０１３８】
また、各排泄量や食事量は、日付毎に並列的に表示されるので、その変化を視覚的に把握することができ、これにより生活ぶりの変化を容易に看取することができる。例えば、統計情報表示領域３４に接した操作者は、排泄量が日を追う毎に段々と減っているので便秘気味であるとか、食事量が減っているので被介護者の消化能力や体力が落ちているのではないか、といった統計対象者である被介護者の状態や傾向、又は生活ぶりの変化を分析等することができる。
【０１３９】
さらに、統計情報表示領域３４は、バイタル表示領域３４２も日毎に有しているので、臥床時間表示領域３４１、排泄情報表示領域３４３および食事情報表示領域３４４の表示と併せて、統計対象者である被介護者の体調を日毎に総合的に分析することができる。
【０１４０】
次に、図４５及び図４６を参照しつつ、時系列表示領域２９上にプロットされる記号３２同士を線分にて結ぶ方法について説明する。図４５に示される通り、所定の条件を満たす記号３２間は、日付をまたいで線分３５にて結ばれ、一方、所定の条件を満たさない記号（例えば記号３６）については線分にて結ばれない。この記号間を結ぶ方法について、図４６を参照しつつ詳細に説明する。
【０１４１】
図４６に、記号間の結び方について説明するフローチャートが示されている。なお、本フローチャートはグラフ表示処理（ステップ４１０）の一部として行われる。そのため、本フローチャートに係る処理の開始前には、既に、ケース記録モード等にて記録された各生活リズムに対する実績時刻等を含む統計対象情報等については読出されている（ステップ４０６ＹＥＳ）。
【０１４２】
図４６では、（ｔ）日目の（ｎ）番目の生活リズムに相当する記号（以下、実績（ｔ，ｎ）とする）と、（ｔ＋１）日目の（ｍ）番目の生活リズムに相当する記号（以下、実績（ｔ＋１，ｍ））とを結ぶ方法について説明する。まず、実績（ｔ，ｎ）に着目して説明する。処理の開始の後、まず、実績（ｔ，ｎ）が「２４Ｈシートにて予定されていたか否か」を判別する（ステップ６０１）。ここで、「２４Ｈシートにて予定されていたか否か」とは、すなわち、図３４に示したケース記録シートへの入力の際、画面左側に位置する「２４Ｈシート」領域１６に、対応する生活リズムが存在していた場合を意味する。「２４Ｈシートにて予定されていなかった」生活リズムである場合（ステップ６０１ＮＯ）、当該実績（ｔ，ｎ）についての処理を終了し、線分にて結ぶ処理は行わず、次の時刻に係る記録（（ｎ＋１）番目の記録）の処理を行う（ステップ６０５ＮＯ）。
【０１４３】
実績（ｔ，ｎ）が「２４Ｈシートにて予定されていた」場合（ステップ６０１ＹＥＳ）、（ｔ＋１）日目の記録中に、実績（ｔ，ｎ）に係る生活リズムと同一の生活リズムに係る実績（ｔ＋１，ｍ）が存在するか否かを確認する。当該実績（ｔ＋１，ｍ）が存在しない場合（ステップ６０２ＮＯ）、当該実績（ｔ，ｎ）についての処理を終了し、線分にて結ぶ処理は行わず、次の時刻に係る記録（（ｎ＋１）番目の記録）の処理を行う（ステップ６０５ＮＯ）。なお、当該実績が存在しない場合とは、例えば、被介護者が予定されていた朝食を摂らなかった場合等である。
【０１４４】
実績（ｔ，ｎ）に係る生活リズムと同一の生活リズムに係る実績（ｔ＋１，ｍ）が（ｔ＋１）日目の記録中に存在していた場合（ステップ６０２ＹＥＳ）、当該実績（ｔ＋１，ｍ）が「２４Ｈシートにて予定されていたか否か」が判別される（ステップ６０３）。なお、判別の条件は上述の通りである。実績（ｔ＋１，ｍ）が２４Ｈシートにて予定されていなかった場合、実績（ｔ，ｎ）についての処理を終了し、線分にて結ぶ処理は行わず、次の時刻に係る記録（（ｎ＋１）番目の記録）の処理を行う（ステップ６０５ＮＯ）。
【０１４５】
実績（ｔ＋１，ｍ）が２４Ｈシートに予定されていた場合（ステップ６０３ＹＥＳ）、実績（ｔ，ｎ）と実績（ｔ＋１，ｍ）とを線分にて結ぶ処理がなされる（ステップ６０４）。その後、以上の処理が（ｔ）日目に属する（ｎ＋１）番目の実績、（ｎ＋２）番目の実績・・・とインクリメントして行われ、（ｔ）日目に属するすべての記録を処理するまで行われる（６０５ＮＯ）。なお、図４６において図示は省略したが、（ｔ）日目のすべての記録を処理した後（６０５ＹＥＳ）、さらに（ｔ）を（ｔ＋１）日目、（ｔ＋２）日目・・・と所定の統計期間分インクリメントすることで、所定の統計期間の記号間を線分にて結ぶことができる。
【０１４６】
このような記号間の結び方によれば、２４Ｈシートにて予定されていた生活リズムに対応する実績に関する記号３２同士については線分で結ばれ、一方、その他の実績については線分で結ばれないので、統計対象者である被介護者に合わせて作成された２４Ｈシート上の予定が、予定された生活リズム毎に、実績としてどの程度連続して守られているか、又、予定された生活リズムに関する実績時刻がどのように推移しているかを一目で分析することができる。
【０１４７】
次に、図４７及び図４８を参照しつつ、食事量と排泄量の表示に関して詳細に説明する。図４８は、図４７に示される統計表示領域３４のうち、排泄量表示部３４３１及び食事量表示部３４４１を拡大した図である。
【０１４８】
排泄量表示部３４３１の拡大図が図４８（ａ）に示される。先に述べた通り、排泄量表示部３４３１は、便量表示部３４３２と尿量表示部３４３３とから構成される。また、便量及び尿量は、それぞれ回数毎に積上げグラフ３４３４として表示され、便量の総量３４３５と尿量の総量３４３６は、それぞれ積上げ表示されたグラフの直上に数値表示される。ここで、積上げられるブロックの高さが排泄の量に相当し、積上げられる個数が排泄の回数を表す。なお、各数値は積上げグラフの直上以外の他の近傍に表示されてもよいし、又は他の表示欄を設けて表示してもよい。
【０１４９】
このように、統計対象となる被介護者の排泄に関する情報が、積上げられるブロックの高さと回数とで表現されるので、操作者は、各グラフの高さとその刻み幅から、一目で、被介護者の排泄状況を分析することができる。また、グラフ近傍に総排泄量が表示されるので、操作者は、グラフから目を逸らすことなく、客観的な排泄量についても合わせて、把握することができる。
【０１５０】
食事量表示部３４４１の拡大図が図４８（ｂ）に示される。先に述べた通り、食事量表示部３４１１は、主食表示部３４４２、副食表示部３４４３及び汁物表示部３４４４とから構成される。また、主食表示部３４４２、副食表示部３４４３及び汁物表示部３４４４は、それぞれ回数毎に積上げグラフ３４４５として表示され、主食の平均摂取量３４４６、副食の平均摂取量３４４７及び汁物の平均摂取量３４４８は数値として、それぞれのグラフの直上に表示される。ここで、主食等の摂取量の定義は上述したマスタ設定により任意に設定可能であり、例えば摂取量を摂取した主食等の体積割合等としてもよい。また、平均摂取量とは、一日の主食等の総摂取量を、摂取した回数で割った数値である。なお、各数値は積上げグラフの直上以外の他の近傍に表示されてもよいし、又は他の表示欄を設けて表示してもよい。
【０１５１】
このように、統計対象となる被介護者の食事に関する情報が、積上げられるブロックの高さと回数とで表現されるので、操作者は、グラフの高さとその刻みから、一目で、被介護者が、どの回の食事でどの程度摂取したかについて、分析することができる。また、グラフ近傍に主食等のそれぞれの平均摂取量が表示されるので、操作者は、グラフから目を逸らすことなく、総量だけではなく、統計対象たる被介護者が一日平均で、どの程度食事を摂取したかを確認することができる。
【０１５２】
次に、図４９乃至図５１を参照して、上記実施例とは異なる集計期間を選択した場合の統計グラフの表示例について説明する（ステップ４０２）。
【０１５３】
図４９は、先に述べた統計情報の集計期間の設定にて、集計期間を月間とした場合のグラフの表示例である。同図においては、図４３と同様に、画面の水平方向に向かって日付（平成２４年１２月１日乃至平成２４年１２月３１日）が並べられ、各日付の垂直方向には時系列表示領域が設けられている。統計処理結果表示領域２２には、画面の水平方向に向かって操作可能なスクロールバー３７が設けられ、当該スクロールバー３７を操作することにより、すべての日付に対応する統計データを視認できるように構成されている。一方、同図においては、図４３と同様、時系列表示領域が設けられるものの、統計情報表示領域は非表示となっている。
【０１５４】
このような構成によれば、月単位の統計情報の推移を分析できるとともに、統計情報表示領域を非表示とすることとしたので、画面が無用に煩雑となることを防止することができる。
【０１５５】
図５０は、先に述べた統計情報の集計期間の設定にて、集計期間を６０日間とした場合のグラフの表示例である。同図においては、図４３と同様に、画面の水平方向に向かって日付（平成２４年１１月１２日乃至平成２５年１月１０日）が並べられ、各日付の垂直方向には時系列表示領域が設けられている。統計処理結果表示領域２２には、画面の水平方向に向かって操作可能なスクロールバー３７が設けられ、当該スクロールバー３７を操作することにより、すべての日付に対応する統計データを視認できるように構成されている。一方、同図においては、図４３と同様、時系列表示領域が設けられるものの、統計情報表示領域は非表示となっている。
【０１５６】
このような構成によれば、６０日単位の統計情報の推移を分析できるとともに、統計情報表示領域を非表示とすることとしたので、画面が無用に煩雑となることを防止することができる。
【０１５７】
図５１は、先に述べた統計情報の集計期間の設定にて、集計期間を９０日間とした場合のグラフの表示例である。同図においては、図４３と同様に、画面の水平方向に向かって日付（平成２４年１０月１３日乃至平成２５年１月１０日）が並べられ、各日付の垂直方向には時系列表示領域が設けられている。統計処理結果表示領域２２には、画面の水平方向に向かって操作可能なスクロールバー３７が設けられ、当該スクロールバー３７を操作することにより、すべての日付に対応する統計データが視認できるように構成されている。一方、同図においては、図４３と同様、時系列表示領域が設けられるものの、統計情報表示領域は非表示となっている。
【０１５８】
このような構成によれば、９０日単位の統計情報の推移を分析できるとともに、統計情報表示領域を非表示とすることとしたので、画面が無用に煩雑となることを防止することができる。
【０１５９】
以上述べたように、操作者は、統計情報の集計期間を変更することで、短期・中期・長期的な統計対象者たる被介護者の暮らしぶりを分析することができる。また、当該期間に応じて統計表示領域の表示の有無が変更されるので、画面全体が無用に煩雑となることを防止することができる。
【０１６０】
次に、図５２を参照して、「統計」モードと「ケース記録」モードとの連携について説明する。既に述べたように、生活記録ウィンドウ２０の統計処理結果表示領域２２内の下方には「日付」ボタン３８が画面水平方向に一列に配置されている。ここで、操作者によって「日付」ボタン３８が選択されると、新たに図５１手前側の「ケース記録」ウィンドウが起動し、当該日付のケース記録を閲覧し、修正し、又は新たに入力を行うことができる。
【０１６１】
このような構成によれば、統計処理結果の表示を確認した後、操作者が気になった部分についてのみ、ケース記録を確認等することができる。
【産業上の利用可能性】
【０１６２】
本発明によれば、被介護者等の暮らしぶりに関する統計データを定量的に分析することができるとともに、被介護者の暮らしぶりの変化を分析することができる被介護者情報分析支援装置、及びコンピュータを同装置として機能させることができるコンピュータプログラムを提供することができる。
【符号の説明】
【０１６３】
１        聞き取りシート
２        分類項目ボタン群
３        日課順序選択ウィンドウ
４        ２４時間（Ｈ）シート
５        留意点表示ウィンドウ
６        ２４時間シート一覧表
７        意向・好みなどの詳細ウィンドウ
８        現時刻表示カーソル
９        留意点表示
１０        ケース記録シート
１１        日報シート
１２〜１４  マスタ設定用ウィンドウ
１５        「他」ボタン
１６        「２４Ｈシート」領域
１７        「日々の暮らしの記録」領域
１８        「統計」ボタン
１９        「生活記録」ボタン
２０        「生活記録」ウィンドウ
２１        「統計対象設定」領域
２２        「統計処理結果表示」領域
２３        「集計期間プルダウン」ボタン
２４        「集計期間設定」ボタン
２５        「ユニット選択用のプルダウン」ボタン
２６        「利用者選択用のプルダウン」ボタン
２７        「他」ボタン
２８        「その他の機能」ウィンドウ
２９        「マスタ」ボタン
３０        「設定」ボタン
３１        帯グラフ
３２        記号
３３        凡例
３４        統計情報表示領域
３５        線分
３６        記号
３７        スクロールバー
３８        「日付」ボタン
１００        パソコン
１０１        制御部
１０２        表示部
１０３        記憶部
１０４        入力操作部
１０５        インターフェース（Ｉ／Ｆ）
【図１】
2014211774.tif 000003
【図２】
2014211774.tif 000004
【図３】
2014211774.tif 000005
【図４】
2014211774.tif 000006
【図５】
2014211774.tif 000007
【図６】
2014211774.tif 000008
【図７】
2014211774.tif 000009
【図８】
2014211774.tif 000010
【図９】
2014211774.tif 000011
【図１０】
2014211774.tif 000012
【図１１】
2014211774.tif 000013
【図１２】
2014211774.tif 000014
【図１３】
2014211774.tif 000015
【図１４】
2014211774.tif 000016
【図１５】
2014211774.tif 000017
【図１６】
2014211774.tif 000018
【図１７】
2014211774.tif 000019
【図１８】
2014211774.tif 000020
【図１９】
2014211774.tif 000021
【図２０】
2014211774.tif 000022
【図２１】
2014211774.tif 000023
【図２２】
2014211774.tif 000024
【図２３】
2014211774.tif 000025
【図２４】
2014211774.tif 000026
【図２５】
2014211774.tif 000027
【図２６】
2014211774.tif 000028
【図２７】
2014211774.tif 000029
【図２８】
2014211774.tif 000030
【図２９】
2014211774.tif 000031
【図３０】
2014211774.tif 000032
【図３１】
2014211774.tif 000033
【図３２】
2014211774.tif 000034
【図３３】
2014211774.tif 000035
【図３４】
2014211774.tif 000036
【図３５】
2014211774.tif 000037
【図３６】
2014211774.tif 000038
【図３７】
2014211774.tif 000039
【図３８】
2014211774.tif 000040
【図３９】
2014211774.tif 000041
【図４０】
2014211774.tif 000042
【図４１】
2014211774.tif 000043
【図４２】
2014211774.tif 000044
【図４３】
2014211774.tif 000045
【図４４】
2014211774.tif 000046
【図４５】
2014211774.tif 000047
【図４６】
2014211774.tif 000048
【図４７】
2014211774.tif 000049
【図４８】
2014211774.tif 000050
【図４９】
2014211774.tif 000051
【図５０】
2014211774.tif 000052
【図５１】
2014211774.tif 000053
【図５２】
2014211774.tif 000054
【手続補正書】
【提出日】平成25年8月6日(2013.8.6)
【手続補正１】
【補正対象書類名】特許請求の範囲
【補正対象項目名】全文
【補正方法】変更
【補正の内容】
【特許請求の範囲】
【請求項１】
被介護者の、少なくとも睡眠、食事及び排泄に関する生活リズムを含む生活リズムの実績時刻と、前記生活リズムに対応する数値情報を記憶する記憶部と、
前記記憶部に記憶された、前記生活リズムの実績時刻と前記生活リズムに対応する数値情報に基づいて、前記被介護者に関する日毎の統計データを所定期間分生成し、前記記憶部に記憶された生活リズムの前記生活リズムの実績時刻と、前記生活リズムに対応する数値情報と、前記統計データとに基づいて、所望の出力装置に出力される統計処理結果画像を生成する制御部と、を備え、
前記統計処理結果画像は、
仮想的な第１の軸と、前記第１の軸に直交する仮想的な第２の軸を有し、
前記第１の軸上には、１日の生活リズムを時系列的に表示する時系列表示領域と、前記１日分の前記生活リズムに対応する数値情報に基づく統計処理結果を表示する統計処理結果表示領域とが一連に配置された、日毎の表示領域が配置され、
前記第２の軸方向に、前記日毎の表示領域が連続して隣り合い、所定日数分の統計処理結果表示領域が構成され、
前記時系列表示領域は、前記第１の軸方向に時系列的に配置された、前記記憶部に記憶された睡眠、食事及び排泄に関する生活リズムの実績時刻を表す記号と、前記記憶部に記憶された睡眠に関する生活リズムに基づいて睡眠と判定される領域に表示される帯グラフとを有し、
前記統計処理結果表示領域は、睡眠関連情報表示領域と、排泄関連情報表示領域と、食事関連情報表示領域とを有し、
前記統計データは被介護者の総睡眠時間を含み、前記睡眠関連情報表示領域は、前記総睡眠時間を表示し、
前記排泄関連情報表示領域は、前記被介護者の排泄の量と回数とを表す排泄グラフを表示し、
前記食事関連情報表示領域は、前記被介護者の食事の量と回数とを表す食事グラフを表示する、
被介護者情報分析支援装置。
【請求項２】
前記排泄グラフは、便と尿とに分けて表示され、各グラフは、前記第１の軸方向の長さが便又は尿の量を表し、前記第１の軸方向に積上げられる積上げ回数が便又は尿の回数を表す積上げグラフである、請求項１に記載の被介護者情報分析支援装置。
【請求項３】
前記統計データは、１日分の便及び尿の総量を含み、前記排泄関連情報表示領域は、前記１日分の便及び尿の総量を表す数値を、対応する各前記積上げグラフの近傍に有する、請求項２に記載の被介護者情報分析支援装置。
【請求項４】
前記食事グラフは、主食と副食と汁物とに分けて表示され、各グラフは、前記第１の軸方向の長さが主食、副食又は汁物の摂取の量を表し、前記第１の軸方向に積上げられる積上げ回数が主食、副食又は汁物の摂取回数を表す積上げグラフである、請求項１に記載の被介護者情報分析支援装置。
【請求項５】
前記統計データは、１日の主食、副食及び汁物の平均摂取量を含み、前記食事関連情報表示領域は、前記１日の主食、副食及び汁物の平均摂取量を表す数値を、対応する各前記積上げグラフの近傍に有する、請求項４に記載の被介護者情報分析支援装置。
【請求項６】
前記統計処理結果画像は、スクロールバーをさらに有し、前記スクロールバーは前記第１の方向にスクロール可能なように構成され、前記時系列表示領域と前記統計処理結果表示領域とが、前記スクロールバーの操作方向に沿って一連に看取可能なように構成される、請求項１乃至５のいずれか１つに記載の被介護者情報分析支援装置。
【請求項７】
前記生活リズムに対応する数値情報がさらに、前記被介護者の体温、最高血圧又は最低血圧に関する数値を含み、
前記統計処理結果表示領域は、前記被介護者の体温、最高血圧又は最低血圧を数値表示するバイタル情報表示領域をさらに有する、請求項１乃至６のいずれか１つに記載の被介護者情報分析支援装置。
【請求項８】
前記実績時刻に関する生活リズムは、予め想定されていた生活リズムと、予め想定されていなかった生活リズムとに区別して記憶され、
前記時系列表示領域に配置された日毎の記号は、隣り合う日の記号と、互いに同一の生活リズムに属し、かつ、予め想定されていた生活リズムに属するものである場合に、互いに線分で結ばれて表示される、請求項１に記載の被介護者情報分析支援装置。
【請求項９】
前記制御部にて生成対象となる前記所定期間が所定の期間を超える場合、前記統計処理結果表示領域の表示を行わないよう制御する表示制御部をさらに備える、請求項１に記載の被介護者情報分析支援装置。
【請求項１０】
コンピュータを、
被介護者の、少なくとも睡眠、食事及び排泄に関する生活リズムを含む生活リズムの実績時刻と、前記生活リズムに対応する数値情報を記憶する記憶部と、
前記記憶部に記憶された、前記生活リズムの実績時刻と前記生活リズムに対応する数値情報に基づいて、前記被介護者に関する日毎の統計データを所定期間分生成し、前記記憶部に記憶された生活リズムの前記生活リズムの実績時刻と、前記生活リズムに対応する数値情報と、前記統計データとに基づいて、所望の出力装置に出力される統計処理結果画像を生成する制御部と、を備え、
前記統計処理結果画像は、
仮想的な第１の軸と、前記第１の軸に直交する仮想的な第２の軸を有し、
前記第１の軸上には、１日の生活リズムを時系列的に表示する時系列表示領域と、前記１日分の前記生活リズムに対応する数値情報に基づく統計処理結果を表示する統計処理結果表示領域とが一連に配置された、日毎の表示領域が配置され、
前記第２の軸方向に、前記日毎の表示領域が連続して隣り合い、所定日数分の統計処理結果表示領域が構成され、
前記時系列表示領域は、前記第１の軸方向に時系列的に配置された、前記記憶部に記憶された睡眠、食事及び排泄に関する生活リズムの実績時刻を表す記号と、前記記憶部に記憶された睡眠に関する生活リズムに基づいて睡眠と判定される領域に表示される帯グラフとを有し、
前記統計処理結果表示領域は、睡眠関連情報表示領域と、排泄関連情報表示領域と、食事関連情報表示領域とを有し、
前記統計データは被介護者の総睡眠時間を含み、前記睡眠関連情報表示領域は、前記総睡眠時間を表示し、
前記排泄関連情報表示領域は、前記被介護者の排泄の量と回数とを表す排泄グラフを表示し、
前記食事関連情報表示領域は、前記被介護者の食事の量と回数とを表す食事グラフを表示する、
被介護者情報分析支援装置として機能させるためのコンピュータプログラム。
【手続補正２】
【補正対象書類名】明細書
【補正対象項目名】０００６
【補正方法】変更
【補正の内容】
【０００６】
第１の発明は、被介護者の、少なくとも睡眠、食事及び排泄に関する生活リズムを含む生活リズムの実績時刻と、前記生活リズムに対応する数値情報を記憶する記憶部と、前記記憶部に記憶された、前記生活リズムの実績時刻と前記生活リズムに対応する数値情報に基づいて、前記被介護者に関する日毎の統計データを所定期間分生成し、前記記憶部に記憶された生活リズムの前記生活リズムの実績時刻と、前記生活リズムに対応する数値情報と、前記統計データとに基づいて、所望の出力装置に出力される統計処理結果画像を生成する制御部と、を備えており、また、前記統計処理結果画像は、仮想的な第１の軸と、前記第１の軸に直交する仮想的な第２の軸を有し、前記第１の軸上には、１日の生活リズムを時系列的に表示する時系列表示領域と、前記１日分の前記生活リズムに対応する数値情報に基づく統計処理結果を表示する統計処理結果表示領域とが一連に配置された、日毎の表示領域が配置され、前記第２の軸方向に、前記日毎の表示領域が連続して隣り合い、所定日数分の統計処理結果表示領域が構成され、前記時系列表示領域は、前記第１の軸方向に時系列的に配置された、前記記憶部に記憶された睡眠、食事及び排泄に関する生活リズムの実績時刻を表す記号と、前記記憶部に記憶された睡眠に関する生活リズムに基づいて睡眠と判定される領域に表示される帯グラフとを有し、前記統計処理結果表示領域は、睡眠関連情報表示領域と、排泄関連情報表示領域と、食事関連情報表示領域とを有し、前記統計データは被介護者の総睡眠時間を含み、前記睡眠関連情報表示領域は、前記総睡眠時間を表示し、前記排泄関連情報表示領域は、前記被介護者の排泄の量と回数とを表す排泄グラフを表示し、前記食事関連情報表示領域は、前記被介護者の食事の量と回数とを表す食事グラフを表示すること、を具備することを特徴とする。
【手続補正３】
【補正対象書類名】明細書
【補正対象項目名】００１６
【補正方法】変更
【補正の内容】
【００１６】
また、第６の発明は、第１乃至５のいずれか１つの発明において、前記統計処理結果画像は、スクロールバーをさらに有し、前記スクロールバーは前記第１の方向にスクロール可能なように構成され、前記時系列表示領域と前記統計処理結果表示領域とが、前記スクロールバーの操作方向に沿って一連に看取可能なように構成される、ことを特徴とする。
【手続補正４】
【補正対象書類名】明細書
【補正対象項目名】００２２
【補正方法】変更
【補正の内容】
【００２２】
また、第９の発明は、第１の発明において、前記制御部にて生成対象となる前記所定期間が所定の期間を超える場合、前記統計処理結果表示領域の表示を行わないよう制御する表示制御部をさらに備える、ことを特徴とする。
【手続補正５】
【補正対象書類名】明細書
【補正対象項目名】００２４
【補正方法】変更
【補正の内容】
【００２４】
第１０の発明は、コンピュータを、被介護者の、少なくとも睡眠、食事及び排泄に関する生活リズムを含む生活リズムの実績時刻と、前記生活リズムに対応する数値情報を記憶する記憶部と、前記記憶部に記憶された、前記生活リズムの実績時刻と前記生活リズムに対応する数値情報に基づいて、前記被介護者に関する日毎の統計データを所定期間分生成し、前記記憶部に記憶された生活リズムの前記生活リズムの実績時刻と、前記生活リズムに対応する数値情報と、前記統計データとに基づいて、所望の出力装置に出力される統計処理結果画像を生成する制御部と、を備え、前記統計処理結果画像は、仮想的な第１の軸と、前記第１の軸に直交する仮想的な第２の軸を有し、前記第１の軸上には、１日の生活リズムを時系列的に表示する時系列表示領域と、前記１日分の前記生活リズムに対応する数値情報に基づく統計処理結果を表示する統計処理結果表示領域とが一連に配置された、日毎の表示領域が配置され、前記第２の軸方向に、前記日毎の表示領域が連続して隣り合い、所定日数分の統計処理結果表示領域が構成され、前記時系列表示領域は、前記第１の軸方向に時系列的に配置された、前記記憶部に記憶された睡眠、食事及び排泄に関する生活リズムの実績時刻を表す記号と、前記記憶部に記憶された睡眠に関する生活リズムに基づいて睡眠と判定される領域に表示される帯グラフとを有し、前記統計処理結果表示領域は、睡眠関連情報表示領域と、排泄関連情報表示領域と、食事関連情報表示領域とを有し、前記統計データは被介護者の総睡眠時間を含み、前記睡眠関連情報表示領域は、前記総睡眠時間を表示し、前記排泄関連情報表示領域は、前記被介護者の排泄の量と回数とを表す排泄グラフを表示し、前記食事関連情報表示領域は、前記被介護者の食事の量と回数とを表す食事グラフを表示する、被介護者情報分析支援装置として機能させるためのコンピュータプログラムであることを特徴とする。
【手続補正６】
【補正対象書類名】明細書
【補正対象項目名】００２９
【補正方法】変更
【補正の内容】
【００２９】
本発明の被介護者情報分析支援装置は、被介護者の、少なくとも睡眠、食事及び排泄に関する生活リズムを含む生活リズムの実績時刻と、前記生活リズムに対応する数値情報を記憶する記憶部と、前記記憶部に記憶された、前記生活リズムの実績時刻と前記生活リズムに対応する数値情報に基づいて、前記被介護者に関する日毎の統計データを所定期間分生成し、前記記憶部に記憶された生活リズムの前記生活リズムの実績時刻と、前記生活リズムに対応する数値情報と、前記統計データとに基づいて、所望の出力装置に出力される統計処理結果画像を生成する制御部と、を備え、前記統計処理結果画像は、仮想的な第１の軸と、前記第１の軸に直交する仮想的な第２の軸を有し、前記第１の軸上には、１日の生活リズムを時系列的に表示する時系列表示領域と、前記１日分の前記生活リズムに対応する数値情報に基づく統計処理結果を表示する統計処理結果表示領域とが一連に配置された、日毎の表示領域が配置され、前記第２の軸方向に、前記日毎の表示領域が連続して隣り合い、所定日数分の統計処理結果表示領域が構成され、前記時系列表示領域は、前記第１の軸方向に時系列的に配置された、前記記憶部に記憶された睡眠、食事及び排泄に関する生活リズムの実績時刻を表す記号と、前記記憶部に記憶された睡眠に関する生活リズムに基づいて睡眠と判定される領域に表示される帯グラフとを有し、前記統計処理結果表示領域は、睡眠関連情報表示領域と、排泄関連情報表示領域と、食事関連情報表示領域とを有し、前記統計データは被介護者の総睡眠時間を含み、前記睡眠関連情報表示領域は、前記総睡眠時間を表示し、前記排泄関連情報表示領域は、前記被介護者の排泄の量と回数とを表す排泄グラフを表示し、前記食事関連情報表示領域は、前記被介護者の食事の量と回数とを表す食事グラフを表示する、という構成を具備するものである。